(57)【要約】【課題】人毛の自然な見た目を保持したまま、形状持続性、耐久性に優れるかつら用人毛繊維を製造することができる人毛繊維処理剤の提供。【解決手段】両端が自由端である人毛繊維を処理するための、単一又は複数の組成物から構成される人毛繊維処理剤であって、その組成中に以下の成分(A)〜(C)を含有する人毛繊維処理剤。  (A)：ホルムアルデヒド等から選ばれる少なくとも１種のホルムアルデヒド誘導体  (B)：メタ位の少なくとも１ヶ所に電子供与基を有し、オルト位とパラ位の少なくとも一か所が水素原子であるフェノール化合物（ただし、メタ位の電子供与基は隣接する炭素原子と共に水酸基が置換してもよいベンゼン環を形成してもよい）  (C)：水【選択図】なし【特許請求の範囲】
【請求項１】
両端が自由端である人毛繊維を処理するための、単一又は複数の組成物から構成される人毛繊維処理剤であって、その組成中に以下の成分(A)〜(C)を含有する人毛繊維処理剤。
(A)：ホルムアルデヒド、ホルムアルデヒドの水和物、グリオキシル酸、グリオキシル酸の水和物、グリオキシル酸塩、グリオキサール、グリオキサールの水和物、グルタルアルデヒド、及びグルタルアルデヒドの水和物から選ばれる少なくとも１種のホルムアルデヒド誘導体
(B)：メタ位の少なくとも１ヶ所に電子供与基を有し、オルト位とパラ位の少なくとも一か所が水素原子であるフェノール化合物（ただし、メタ位の電子供与基は隣接する炭素原子と共に水酸基が置換してもよいベンゼン環を形成してもよい）
(C)：水
【請求項２】
成分(A)の含有量が0.1質量％以上60質量％以下である、請求項１に記載の人毛繊維処理剤。
【請求項３】
成分(B)の含有量が0.1質量％以上60質量％以下である、請求項１又は２に記載の人毛繊維処理剤。
【請求項４】
成分(B)が次の成分(B1)である請求項１〜３のいずれか１項に記載の人毛繊維処理剤。
(B1)：一般式(1)で表されるレゾルシン誘導体
【化１】
2019143281.tif 000020
〔式中、
Ａ1〜Ａ4は、同一でも異なってもよく、水素原子、水酸基、ハロゲン原子、カルボキシル基若しくはその塩、スルホン酸基若しくはその塩、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示す。〕
【請求項５】
成分(B)が次の成分(B2)である請求項１〜３のいずれか１項に記載の人毛繊維処理剤。
(B2)：一般式(2)又は(3)で表されるナフトール誘導体
【化２】
2019143281.tif 000021
〔式中、
Ｒ1は、水素原子又はメチル基を示し、
Ａ5は、水素原子、炭素数１〜12の直鎖若しくは分岐鎖のアルキル基若しくはアルケニル基、置換基を有してもよい炭素数７〜12のアラルキル基若しくはアリールアルケニル基、炭素数１〜６の直鎖若しくは分岐鎖のアルコキシ基若しくはアルケニルオキシ基、ハロゲン原子又は−ＣＯ−Ｒ2（Ｒ2は炭素数１〜12の直鎖若しくは分岐鎖のアルキル基若しくはアルケニル基、置換基を有してもよい炭素数７〜12のアラルキル基若しくはアリールアルケニル基又は置換基を有してもよい炭素数６〜12の芳香族炭化水素基）を示し、
Ｄは、水素原子、水酸基、メチル基又は炭素数１〜12の直鎖若しくは分岐鎖のアルコキシ基若しくはアルケニルオキシ基を示し、
Ｅは、水素原子、水酸基、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示し、
Ｇは、水酸基、炭素数１〜６の直鎖若しくは分岐鎖のアルキル基若しくはアルケニル基、又は炭素数１〜６のアルコキシ基を示し、ｎは０から２の整数を示す。〕
【請求項６】
成分(B)が次の成分(B3)である請求項１〜３のいずれか１項に記載の人毛繊維処理剤。
(B3)：一般式(4)で表される化合物
【化３】
2019143281.tif 000022
〔式中、
Ｒ3は、水素原子又はメチル基を示し、
Ｘは、水素原子、水酸基又はメトキシ基を示し、
Ｒ4は、水酸基又はメトキシ基が３個まで置換してもよく1,3-ジオキソランとの縮合環を形成してもよい芳香族炭化水素基を示し、
Ｒ5は、水酸基、メトキシ基、若しくは水酸基若しくはメトキシ基が３個まで置換してもよく1,3-ジオキソランとの縮合環を形成してもよい芳香族炭化水素基、又は水酸基若しくはメトキシ基が３個まで置換してもよいアリールカルボニルオキシ基若しくはアラルキルカルボニルオキシ基を示す。〕
【請求項７】
下記工程(ｉ)を含む人毛繊維処理方法。
(ｉ)加熱下で、請求項１〜６のいずれかに記載の人毛繊維処理剤に両端が自由端である人毛繊維を浸漬するステップ
【請求項８】
人毛繊維処理剤に人毛繊維を浸漬する際の浴比が、（人毛繊維処理剤質量）／（人毛繊維質量）＝２以上である請求項７に記載の人毛繊維処理方法。
【請求項９】
工程(ｉ)の後、更に下記工程(ii)を行う、請求項７又は８に記載の人毛繊維処理方法。
(ii)成分(B1)及び(C)を含有する表面仕上げ剤に人毛繊維を浸漬するステップ
(B1)：一般式(1)で表されるレゾルシン誘導体
【化４】
2019143281.tif 000023
〔式中、
Ａ1〜Ａ4は、同一でも異なってもよく、水素原子、水酸基、ハロゲン原子、カルボキシル基若しくはその塩、スルホン酸基若しくはその塩、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示す。〕
(C)：水
【請求項１０】
請求項７〜９のいずれか１項に記載の人毛繊維処理方法によって、かつら用人毛繊維を処理する工程を含む、かつらの製造方法。
【発明の詳細な説明】
【技術分野】
【０００１】
本発明は、工業素材としての人毛繊維の形状を半永久的又は永久的に変形する人毛繊維処理剤に関する。
【背景技術】
【０００２】
従来、かつらに植毛する繊維として、人工毛を用いたものと人毛を用いたものが広く知られている。
【０００３】
人工毛を用いたかつらの利点としては、耐熱性が高くカールアイロンなどの熱器具により容易にストレート毛に対してカールを形成したりカール毛をストレート化したりすることができ（以下、「形状付与性」という）、また、入浴や洗髪等の高温多湿の条件下においても熱器具で形成したカール又はストレートの形状を保持する（以下、「形状持続性」という）ことが挙げられる。更に、人工毛を用いたかつらは、人毛に比べて剛直で強度（耐久性）が高いという点でも優れている。一方で人工毛を用いたかつらには欠点があり、表面が平滑なため光沢が強く、風合いが不自然であるため、自然に髪を装うというかつら本来の目的が達成されづらい。
【０００４】
人毛を用いたかつらの利点としては、風合いや光沢が自毛に近く、装着時に自然な外観が得られることが挙げられる。かつらを装着する人の多くは、装着していることを周囲に知られたくないという事情があるため、自然な外観が得られることは大きな利点である。
【０００５】
例えば、特許文献１には、人毛と特定の物性を有するポリエステル系繊維とを混合することで、人毛の優れた特性を損なうことなく、形状持続性に劣る人毛の欠点を改善した毛髪用繊維束が開示されている。また、特許文献２には、再生コラーゲン繊維と人毛とをブレンドすることで、人毛製品の欠点であるフリッツの蓄積が改善されると共に、再生コラーゲン繊維の欠点であるパーマネントウェーブ性能を併せ持った頭飾製品が開示されている。
【先行技術文献】
【特許文献】
【０００６】
【特許文献１】国際公開第2005/037000号パンフレット
【特許文献２】特開2007-177370号公報
【発明の概要】
【発明が解決しようとする課題】
【０００７】
現在、かつら等の頭飾製品に使用されている人毛は、均一な形状や色を付与するために、キューティクルを化学処理により除去することに始まり、脱色、染色など多くの処理工程を経るため、その間に損傷する場合があり（特許文献１）、耐久性に問題があることが知られている（特許文献２）。
【０００８】
また、近年では、美意識の高まりから見た目を重視する人が増え、更に、より耐久性のあるかつらが求められるようになっている。
【０００９】
しかしながら、特許文献１及び２に記載の技術は、人毛と人工毛とを混合したものである以上、見た目が不自然であることや感触に劣るという欠点は依然として存在しており、見た目の自然さという点において十分とはいえないものであった。
【００１０】
したがって本発明は、人毛の自然な見た目を保持したまま、形状付与性、形状持続性、耐久性に優れるかつら用人毛繊維を製造するための人毛繊維処理剤及び人毛繊維処理方法に関する。
【課題を解決するための手段】
【００１１】
本発明者らは、かつらに植毛する人毛繊維、もしくは人毛繊維が植毛されたかつらを、特定のアルデヒド化合物と特定のフェノール化合物を含有する組成物で処理すると、人毛繊維に形状持続性を与えることができるばかりでなく、人毛繊維の強度も向上でき、それにより耐久性も向上し、その結果、処理された人毛繊維が形状持続性、自然な光沢、感触の良さ、高い耐久性の全てを満たすことを見出し、発明を完成した。
【００１２】
本発明は、両端が自由端である人毛繊維を処理するための、単一又は複数の組成物から構成される人毛繊維処理剤であって、その組成中に以下の成分(A)〜(C)を含有する人毛繊維処理剤を提供するものである。
(A)：ホルムアルデヒド、ホルムアルデヒドの水和物、グリオキシル酸、グリオキシル酸の水和物、グリオキシル酸塩、グリオキサール、グリオキサールの水和物、グルタルアルデヒド、及びグルタルアルデヒドの水和物から選ばれる少なくとも１種のホルムアルデヒド誘導体
(B)：メタ位の少なくとも１ヶ所に電子供与基を有し、オルト位とパラ位の少なくとも一か所が水素原子であるフェノール化合物（ただし、メタ位の電子供与基は隣接する炭素原子と共に水酸基が置換してもよいベンゼン環を形成してもよい）
(C)：水
【００１３】
更に本発明は、下記工程(ｉ)を含む人毛繊維処理方法を提供するものである。
(ｉ)加熱下で、上記の人毛繊維処理剤に両端が自由端である人毛繊維を浸漬するステップ
【００１４】
更に本発明は、上記の人毛繊維処理方法によって、かつら用人毛繊維を処理する工程を含む、かつらの製造方法を提供するものである。
【発明の効果】
【００１５】
本発明によれば、人毛の自然な見た目及び感触の良さを保持したまま、形状持続性、耐久性に優れるかつら用人毛繊維を製造することができる。
【発明を実施するための形態】
【００１６】
本発明において、両端が自由端である人毛繊維とは、人の頭部から分離された頭髪であって、かつら、ヘアエクステンション、植毛用毛髪等の工業素材や工芸素材として使用される人毛繊維をいう。
【００１７】
〔成分(A)：特定のアルデヒド化合物〕
成分(A)は、ホルムアルデヒド、ホルムアルデヒドの水和物、グリオキシル酸、グリオキシル酸の水和物、グリオキシル酸塩、グリオキサール、グリオキサールの水和物、グルタルアルデヒド、及びグルタルアルデヒドの水和物から選ばれる少なくとも１種のホルムアルデヒド誘導体である。
【００１８】
成分(A)のうち、ホルムアルデヒドの水和物としてはホルムアルデヒド一水和物（メタンジオール）、グリオキシル酸の水和物としてはグリオキシル酸一水和物、グリオキサールの水和物としてはグリオキサール一水和物、グリオキサール二水和物、グルタルアルデヒドの水和物としては、グルタルアルデヒド一水和物、グルタルアルデヒド二水和物が挙げられる。また、前記化合物の塩としては、例えばリチウム塩、ナトリウム塩、カリウム塩等のアルカリ金属塩、マグネシウム塩、カルシウム塩等のアルカリ土類金属塩が挙げられる。
【００１９】
これらの成分(A)のうち、処理後の人毛繊維により高い形状持続性と耐久性を付与する観点から、ホルムアルデヒド、グリオキシル酸から選ばれる１種以上を含むことが好ましく、ホルムアルデヒドを含むことがより好ましい。
【００２０】
本発明の人毛繊維処理剤中における成分(A)の含有量は、処理後の人毛繊維により高い形状持続性と耐久性を付与する観点から、好ましくは0.1質量％以上、より好ましくは１質量％以上、更に好ましくは2.5質量％以上、更により好ましくは５質量％以上であり、また、上述の観点に加え、処方適合性の観点から、好ましくは60質量％以下、より好ましくは50質量％以下、更に好ましくは40質量％以下、更により好ましくは35質量％以下、更により好ましくは30質量％以下、更により好ましくは20質量％以下、更により好ましくは15質量％以下である。
すなわち、本発明の人毛繊維処理剤中における成分(A)の含有量は、処理後の人毛繊維により高い形状持続性と強度を付与する観点及び処方適合性の観点から、好ましくは0.1〜60質量％、より好ましくは１〜50質量％、更に好ましくは2.5〜40質量％、更により好ましくは５〜35質量％、更により好ましくは５〜30質量％、更により好ましくは５〜20質量％、更に好ましくは５〜15質量％である。
【００２１】
〔成分(B)：特定のフェノール化合物〕
成分(B)は、メタ位の少なくとも１ヶ所、好ましくは２ヶ所に電子供与基を有し、オルト位とパラ位の少なくとも１ヶ所が水素原子であるフェノール化合物である。なお、該フェノール化合物のメタ位の電子供与基は隣接する炭素原子と共にベンゼン環を形成してもよく、該ベンゼン環は更に水酸基が置換していてもよい。成分(B)の分子量は110以上が好ましく、人毛繊維内への良好な浸透性の観点から1000以下が好ましく、700以下がより好ましく、500以下が更に好ましい。成分(B)のフェノール化合物としては、例えば、次の成分(B1)、(B2)及び(B3)が挙げられる。
【００２２】
(B1)一般式(1)で表されるレゾルシン誘導体
(B2)一般式(2)又は(3)で表されるナフトール誘導体
(B3)一般式(4)で表されるフラバン-3-オール（Flavan-3-ol）誘導体
【００２３】
成分(B1)は、次の一般式(1)で表される化合物である。
【００２４】
【化１】
2019143281.tif 000002
【００２５】
〔式中、
Ａ1〜Ａ4は、同一でも異なってもよく、水素原子、水酸基、ハロゲン原子、カルボキシル基若しくはその塩、スルホン酸基若しくはその塩、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示す。〕
【００２６】
成分(B1)としては、例えば、レゾルシン、2-メチルレゾルシン、4-クロロレゾルシン、ピロガロール等が挙げられる。
【００２７】
成分(B2)は、次の一般式(2)又は(3)で表される化合物である。
【００２８】
【化２】
2019143281.tif 000003
【００２９】
〔式中、
Ｒ1は、水素原子又はメチル基を示し、
Ａ5は、水素原子、炭素数１〜12の直鎖若しくは分岐鎖のアルキル基若しくはアルケニル基、置換基を有してもよい炭素数７〜12のアラルキル基若しくはアリールアルケニル基、炭素数１〜６の直鎖若しくは分岐鎖のアルコキシ基若しくはアルケニルオキシ基、ハロゲン原子又は−ＣＯ−Ｒ2（Ｒ2は炭素数１〜12の直鎖若しくは分岐鎖のアルキル基若しくはアルケニル基、置換基を有してもよい炭素数７〜12のアラルキル基若しくはアリールアルケニル基又は置換基を有してもよい炭素数６〜12の芳香族炭化水素基）を示し、
Ｄは、水素原子、水酸基、メチル基又は炭素数１〜12の直鎖若しくは分岐鎖のアルコキシ基若しくはアルケニルオキシ基を示し、
Ｅは、水素原子、水酸基、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示し、
Ｇは、水酸基、炭素数１〜６の直鎖若しくは分岐鎖のアルキル基若しくはアルケニル基、又は炭素数１〜６のアルコキシ基を示し、ｎは０から２の整数を示す。〕
【００３０】
一般式(2)又は(3)で示されるナフトール誘導体としては、一般式(2)又は(3)中、Ｒ1が水素原子又は炭素数１〜４のアルキル基若しくはアルケニルであるものが好ましく、水素原子であるものがより好ましい。
また、Ａ5が水素原子、水酸基、炭素数１〜４の直鎖若しくは分岐鎖のアルキル基又は炭素数１〜４のアルコキシ基であるものが好ましく、水素原子又は水酸基であるものがより好ましい。
また、Ｄが水素原子、水酸基、炭素数１〜４の直鎖若しくは分岐鎖のアルキル基又は炭素数１〜４のアルコキシ基であるものが好ましい。
また、Ｅが水素原子、水酸基又は炭素数１〜４のアルキル基若しくは炭素数１〜４のアルコキシ基であるものが好ましい。
【００３１】
このような化合物としては、1-ナフトール、2-ナフトール、3-メチルナフタレン-1-オール、ナフタレン-1,5-ジオール、ナフタレン-1,8-ジオール等が挙げられる。
【００３２】
化合物(B3)は、次の一般式(4)で表されるフラバン-3-オール誘導体である。
【００３３】
【化３】
2019143281.tif 000004
【００３４】
〔式中、
Ｒ3は、水素原子又はメチル基を示し、
Ｘは、水素原子、水酸基又はメトキシ基を示し、
Ｒ4は、水酸基又はメトキシ基が３個まで置換してもよく1,3-ジオキソランとの縮合環を形成してもよい芳香族炭化水素基を示し、
Ｒ5は、水酸基、メトキシ基、若しくは水酸基若しくはメトキシ基が３個まで置換してもよく1,3-ジオキソランとの縮合環を形成してもよい芳香族炭化水素基、又は水酸基若しくはメトキシ基が３個まで置換してもよいアリールカルボニルオキシ基若しくはアラルキルカルボニルオキシ基を示す。〕
【００３５】
一般式(4)で表される化合物の分子量は、分子量150以上が好ましい。また、人毛繊維内部への良好な浸透性の観点から、分子量1000以下、更には700以下、更には500以下が好ましい。
【００３６】
成分(B3)としては、カテキン（Catechin）、エピカテキン（Epicatechin）、エピガロカテキン（Epigallocatechin）、カテキンガレート（Catechin gallate）、エピカテキンガレート（Epicatechin gallate）、エピガロカテキンガレート（Epigallocatechin gallate）等が挙げられ、カテキン、エピガロカテキン、エピガロカテキンガレートから選ばれる１種以上が好ましい。また、緑茶抽出物等、上記の化合物を含む混合物を利用することもできる。
【００３７】
成分(B)の中でも、人毛繊維内で形成する成分(A)と成分(B)との縮合物により本発明の人毛繊維処理剤による処理後の人毛繊維形状の変化をより顕著にし、人毛繊維の形状持続性と耐久性をより一層優れたものとし、人毛の自然な見た目及び感触の良さも一層優れたものとする観点から、1-ナフトール、2-ナフトール、3-メチルナフタレン-1-オール、ナフタレン-1,5-ジオール、ナフタレン-1,8-ジオール、カテキン（Catechin）、エピカテキン（Epicatechin）、エピガロカテキン（Epigallocatechin）、カテキンガレート（Catechin gallate）、エピカテキンガレート（Epicatechin gallate）、エピガロカテキンガレート（Epigallocatechin gallate）から選ばれる１種又は２種以上が好ましく、カテキン（Catechin）、エピカテキン（Epicatechin）、エピガロカテキン（Epigallocatechin）、カテキンガレート（Catechin gallate）、エピカテキンガレート（Epicatechin gallate）、エピガロカテキンガレート（Epigallocatechin gallate）から選ばれる１種又は２種以上がより好ましい。
【００３８】
成分(B)は単独で又は２種類以上を組み合わせて用いることができ、(B1)〜(B3)の２タイプ以上を併用することもできる。本願発明の構成で人毛繊維により高い形状持続性と耐久性を付与できる観点及び感触性を高める観点からは(B2)及び(B3)から選ばれる１種以上が好ましい。
【００３９】
本発明の人毛繊維処理剤中における成分(B)全体としての合計含有量は、処理後の人毛繊維により高い形状持続性と耐久性を付与する観点から、好ましくは0.1質量％以上、より好ましくは１質量％以上、更に好ましくは2.5質量％以上、更により好ましくは５質量％以上であり、また、上記の観点に加え、毛髪表面の感触を向上させる観点から、好ましくは60質量％以下、より好ましくは50質量％以下、更に好ましくは40質量％以下、更に好ましくは35質量％以下、更により好ましくは30質量％以下である。
すなわち、本発明の人毛繊維処理剤中における成分(B)の含有量は、処理後の人毛繊維により高い形状持続性と耐久性を付与する観点及び毛髪表面の感触を向上させる観点から、好ましくは0.1〜60質量％、より好ましくは１〜50質量％、更に好ましくは2.5〜40質量％、更により好ましくは５〜35質量％、更により好ましくは５〜30質量％である。
【００４０】
本発明の人毛繊維処理剤により人毛繊維に適用される成分(A)に対する成分(B)のモル比(B)／(A)は、人毛繊維内で形成する成分(A)と成分(B)との縮合物により、処理後の人毛繊維の形状持続性と耐久性をより一層優れたものとする観点から、好ましくは0.005以上、より好ましくは0.01以上、更に好ましくは0.05以上、更により好ましくは0.1以上、更により好ましくは0.5以上であり、また、良好な感触の観点から、好ましくは５未満、より好ましくは４以下、更に好ましくは３以下、更により好ましくは２以下、更により好ましくは1.8以下である。
すなわち、成分(A)に対する成分(B)のモル比(B)／(A)は、処理後の人毛繊維の形状持続性と耐久性をより一層優れたものとする観点及び良好な感触の観点から、好ましくは0.005以上５未満、より好ましくは0.01〜４、更に好ましくは0.05〜３、更により好ましくは0.1〜２、更により好ましくは0.5〜1.8である。
【００４１】
〔成分(C)：水〕
本発明の人毛繊維処理剤は、水を媒体とする。本発明の人毛繊維処理剤中における成分(C)の含有量は、好ましくは10質量％以上、より好ましくは20質量％以上、更に好ましくは30質量％以上、更により好ましくは40質量％以上であり、また好ましくは99質量％以下、より好ましくは97質量％以下、更に好ましくは95質量％以下、更により好ましくは90質量％以下である。
すなわち、本発明の人毛繊維処理剤中における成分(C)の含有量は、好ましくは10〜99質量％、より好ましくは20〜97質量％、更に好ましくは30〜95質量％、更により好ましくは40〜90質量％である。
【００４２】
本発明の人毛繊維処理剤は、一剤式でも、二剤式等の多剤式でも、いずれの形態とすることもできる。なかでも、成分(A)と成分(B)の人毛繊維内への浸透性を良好にし、本発明の効果を高くする観点から、成分(A)と成分(B)とをそれぞれ別の剤に含有する多剤式、更には二剤式とすることがより好ましい。多剤式の場合、本発明においては成分(B)を含有する剤を第１剤、成分(A)を含有する剤を第２剤とする。
【００４３】
多剤式の場合、第１剤中の成分(B)の含有量は、処理後の人毛繊維により高い形状持続性と耐久性を付与する観点から、好ましくは0.1質量％以上、より好ましくは１質量％以上、更に好ましくは2.5質量％以上、更により好ましくは５質量％以上であり、また好ましくは50質量％以下、より好ましくは40質量％以下、更に好ましくは35質量％以下、更により好ましくは30質量％以下である。
すなわち、第１剤中における成分(B)の含有量は、処理後の人毛繊維により高い形状持続性と耐久性を付与する観点から、好ましくは0.1〜50質量％、より好ましくは１〜40質量％、更に好ましくは2.5〜35質量％、更により好ましくは５〜30質量％である。
【００４４】
多剤式の場合、第２剤中の成分(A)の含有量は、処理後の人毛繊維により高い形状持続性と耐久性を付与する観点から、好ましくは0.1質量％以上、より好ましくは１質量％以上、更に好ましくは2.5質量％以上、更により好ましくは５質量％以上であり、また、好ましくは50質量％以下、より好ましくは40質量％以下、更に好ましくは35質量％以下、更により好ましくは30質量％以下である。
すなわち、第２剤中における成分(A)の含有量は、処理後の人毛繊維により高い形状持続性と耐久性を付与する観点から、好ましくは0.1〜50質量％、より好ましくは１〜40質量％、更に好ましくは2.5〜35質量％、更により好ましくは５〜30質量％である。
【００４５】
多剤式において第１剤と第２剤等とを混合して使用する場合、その混合比は特に定めない。本発明においては、成分(A)と成分(B)の人毛繊維内への浸透性を良好にし、本発明の効果を高くする観点から、第１剤と第２剤等とを混合して得られる合剤後の組成物が本発明の人毛繊維処理剤となることが好ましい。従って、第１剤と第２剤等とを混合して使用する多剤式の場合、特に定めが無い場合には各成分の含有量は合剤後の組成物中における含有量である。
【００４６】
人毛繊維を多剤式の第１剤と第２剤に逐次浸漬して処理することもできる。すなわち、最初に第１剤に人毛繊維を浸漬し、次いで第１剤で処理された人毛繊維を第２剤に浸漬し処理する方法である。この場合には第１剤と第２剤を等量混合したものと仮定した混合液中の含有量として計算すればよい。また、多剤式にする場合、成分(C)は各剤の溶媒として含有することができ、成分(C)は第１剤と第２剤の両方に入っていることが好ましい。
【００４７】
一剤式の場合、剤のpHは、毛髪への浸透性を向上させる観点から、好ましくは5.0以下、より好ましくは4.8以下、更に好ましくは4.5以下であり、また、毛髪ダメージ抑制の観点から、好ましくは０以上、より好ましくは0.5以上、更に好ましくは1.0以上である。また、二剤式等の多剤式の場合、各剤のpHは、毛髪への浸透性を向上させる観点から、好ましくは6.0以下、より好ましくは5.8以下、更に好ましくは5.5以下であり、また、毛髪ダメージ抑制の観点から、好ましくは０以上、より好ましくは0.5以上、更に好ましくは1.0以上である。多剤式の場合は第１剤と第２剤を等量混合したときのpHが前記一剤式について示した範囲となることが好ましい。なお、本発明におけるpHは25℃のときの値である。
すなわち、一剤式の場合、剤のpHは、毛髪への浸透性を向上させる観点及び毛髪ダメージを抑制する観点から、好ましくは０〜5.0、より好ましくは0.5〜4.8、更に好ましくは1.0〜4.5である。また、二剤式等の多剤式の場合、各剤のpHは、毛髪への浸透性を向上させる観点及びまた、毛髪ダメージを抑制する観点から、好ましくは０〜6.0、より好ましくは0.5〜5.8、更に好ましくは1.0〜5.5である。
【００４８】
本発明の人毛繊維処理剤は、処理後の人毛繊維の感触を改善し、本願発明の効果を一層向上させる観点から、カチオン性界面活性剤を含有することが好ましい。カチオン性界面活性剤は１個の炭素数８〜24のアルキル基及び３個の炭素数１〜４のアルキル基を有するモノ長鎖アルキル四級アンモニウム塩が好ましい。
【００４９】
好ましくは、少なくとも１種のモノ長鎖アルキル四級アンモニウム界面活性剤は、下記一般式で表される化合物から選択される。
【００５０】
【化４】
2019143281.tif 000005
【００５１】
〔式中、Ｒ6は炭素数８〜22の飽和若しくは不飽和の直鎖若しくは分岐鎖のアルキル基、Ｒ10−ＣＯ−ＮＨ−(ＣＨ2)m−又はＲ10−ＣＯ−Ｏ−(ＣＨ2)m−（Ｒ10は炭素数７〜21の飽和又は不飽和の直鎖又は分岐鎖のアルキル鎖を示し、ｍは１〜４の整数を示す）を示し、Ｒ7、Ｒ8及びＲ9は独立して、炭素数１〜４のアルキル基、炭素数１〜４のヒドロキシルアルキル基を示し、Ｘ-は塩化物イオン、臭化物イオン、メトサルフェートイオン又はエトサルフェートイオンを示す。〕
【００５２】
好適なカチオン性界面活性剤としては、例えば、セチルトリメチルアンモニウムクロリド、ミリスチルトリメチルアンモニウムクロリド、ベヘントリモニウムクロリド、セチルトリメチルアンモニウムブロミド、ステアラミドプロピルトリモニウムクロリド等の長鎖四級アンモニウム化合物が挙げられ、これらは単独で使用することもでき、これらの混合物として使用することもできる。
【００５３】
本発明の人毛繊維処理剤中におけるカチオン性界面活性剤の含有量は、処理後の人毛繊維の感触を改善し、本願発明の効果を一層向上させる観点から、好ましくは0.05質量％以上、より好ましくは0.1質量％以上であり、また、好ましくは10質量％以下、より好ましくは５質量％以下である。人毛繊維処理剤が多剤式である場合、カチオン性界面活性剤は第１剤に含有してもよく、第２剤に含有してもよく、第１剤と第２剤の両方に含有していてもよい。
【００５４】
また、本発明の人毛繊維処理剤は、処理後の人毛繊維の感触を改善し、まとまりを良くする観点からシリコーンを含むことが好ましい。シリコーンとしてはジメチルポリシロキサン、アミノ変性シリコーンから選ばれる１種以上が好ましい。
【００５５】
ジメチルポリシロキサンとしては、いずれの環状又は非環状のジメチルポリシロキサンポリマーを用いることもでき、その例としてSH200シリーズ、BY22-019、BY22-020、BY11-026、B22-029、BY22-034、BY22-050A、BY22-055、BY22-060、BY22-083、FZ-4188（いずれも東レ・ダウコーニング株式会社）、KF-9088、KM-900シリーズ、MK-15H、MK-88（いずれも信越化学工業株式会社）が挙げられる。
【００５６】
アミノ変性シリコーンとしては、アミノ基又はアンモニウム基を有するあらゆるシリコーンを用いることができ、その例として、全部又は一部の末端ヒドロキシル基がメチル基等で末端封止されたアミノ変性シリコーンオイル及び末端封止されていないアモジメチコンが挙げられる。処理後の人毛繊維の感触を改善し、まとまりを良くする観点から好ましいアミノ変性シリコーンとして、例えば次式で示される化合物が挙げられる。
【００５７】
【化５】
2019143281.tif 000006
【００５８】
〔式中、Ｒ'は水素原子、水酸基又はＲXを示し、ＲXは置換又は非置換の炭素数１〜20の一価炭化水素基を示し、ＪはＲX、Ｒ"−(ＮＨＣＨ2ＣＨ2)aＮＨ2、ＯＲX又は水酸基を示し、Ｒ"は炭素数１〜８の二価炭化水素基を示し、ａは０〜３の数を示し、ｂ及びｃはその和が数平均で、10以上20000未満、好ましくは20以上3000未満、より好ましくは30以上1000未満、更に好ましくは40以上800未満となる数を示す。〕
【００５９】
好適なアミノ変性シリコーンの市販品の具体例としては、SF8452C、SS3551（いずれも東レ・ダウコーニング株式会社）、KF-8004、KF-867S、KF-8015（いずれも信越化学工業株式会社）等のアミノ変性シリコーンオイル、SM8704C、SM8904、BY22-079、FZ-4671、FZ4672（いずれも東レ・ダウコーニング株式会社）等のアモジメチコンエマルションが挙げられる。
【００６０】
本発明の人毛繊維処理剤中におけるシリコーンの含有量は、処理後の人毛繊維の感触を改善し、本願発明の効果を一層向上させる観点から、好ましくは0.1質量％以上、より好ましくは0.2質量％以上、更に好ましくは0.5質量％以上であり、また、好ましくは20質量％以下、より好ましくは10質量％以下、更に好ましくは５質量％以下である。人毛繊維処理剤が多剤式である場合、シリコーンは第１剤に含有してもよく、第２剤に含有してもよく、第１剤と第２剤の両方に含有していてもよい。
【００６１】
また、本発明の人毛繊維処理剤は、処理後の人毛繊維の感触を改善する観点からカチオン性ポリマーを含有することが好ましい。
【００６２】
カチオン性ポリマーは、カチオン基又はカチオン基にイオン化され得る基を有するポリマーをいい、全体としてカチオン性となる両性ポリマーも含まれる。すなわち、ポリマー鎖の側鎖にアミノ基若しくはアンモニウム基を含むか、又はジアリル４級アンモニウム塩を構成単位として含む水溶液のもの、例えばカチオン化セルロース誘導体、カチオン性澱粉、カチオン化グアーガム誘導体、ジアリル４級アンモニウム塩の重合体又は共重合体、４級化ポリビニルピロリドン誘導体等が挙げられる。これらのうち、すすぎ時やシャンプー時の感触の柔らかさ、滑らかさ及び指の通り易さ、乾燥時のまとまり易さ及び保湿性という効果及び剤の安定性を向上させる観点から、ジアリル４級アンモニウム塩を構成単位として含むポリマー、４級化ポリビニルピロリドン誘導体、カチオン化セルロース誘導体から選ばれる１種又は２種以上が好ましく、ジアリル４級アンモニウム塩の重合体又は共重合体、カチオン化セルロース誘導体から選ばれる１種又は２種以上がより好ましい。
【００６３】
好適なジアリル４級アンモニウム塩の重合体又は共重合体の具体例としては、塩化ジメチルジアリルアンモニウム重合体（ポリクオタニウム-6、例えばマーコート100；ルーブリゾール・アドバンスト・マテリアルズ社）、塩化ジメチルジアリルアンモニウム／アクリル酸共重合体（ポリクオタニウム-22、例えばマーコート280、同295；ルーブリゾール・アドバンスト・マテリアルズ社）、塩化ジメチルジアリルアンモニウム／アクリルアミド共重合体（ポリクオタニウム-7、例えばマーコート550；ルーブリゾール・アドバンスト・マテリアルズ社）等が挙げられる。
【００６４】
好適な４級化ポリビニルピロリドン誘導体の具体例としては、ビニルピロリドンコポリマーとジメチルアミノエチルメタクリレートとを重合して得られるポリマー（ポリクオタニウム11、例えばガフカット734、ガフカット755、ガフカット755N（以上、アシュランド社））が挙げられる。
【００６５】
好適なカチオン化セルロースの具体例としては、ヒドロキシセルロースにグリシジルトリメチルアンモニウムクロライドを負荷したポリマー（ポリクオタニウム10、例えばレオガードＧ、同GP（以上、ライオン社）、ポリマーJR-125、同JR-400、同JR-30M、同LR-400、同LR-30M（以上、アマーコール社））や、ヒドロキシエチルセルロースジメチルジアリルアンモニウムクロリド（ポリクオタニウム-4、例えばセルコートH-100、同L-200（以上、アクゾノーベル社））等が挙げられる。
【００６６】
本発明の人毛繊維処理剤中におけるカチオン性ポリマーの含有量は、処理後の人毛繊維の感触を改善する観点から、好ましくは0.001質量％以上、より好ましくは0.01質量％以上、更に好ましくは0.05質量％以上であり、また、好ましくは20質量％以下、より好ましくは10質量％以下である。人毛繊維処理剤が多剤式である場合、カチオン性ポリマーは第１剤に含有してもよく、第２剤に含有してもよく、第１剤と第２剤の両方に含有していてもよい。
【００６７】
更に、本発明の人毛繊維処理剤には、通常含有する程度の量の酸化防止剤を含有してもよい。酸化防止剤としては毛髪化粧料の分野で一般的に用いられているものであればよく、例えばアスコルビン酸等が挙げられる。
【００６８】
〔人毛繊維処理方法〕
本発明の人毛繊維処理剤を用いて、下記工程（ｉ）を含む方法で人毛繊維を処理することにより、人毛繊維に形状持続性と高い耐久性を付与することができる。
(ｉ)加熱下で、本発明の人毛繊維処理剤に両端が自由端である人毛繊維を浸漬するステップ
【００６９】
工程(ｉ)において、人毛繊維処理剤に浸漬する人毛繊維は、乾燥していても濡れていてもよい。人毛繊維を浸漬する人毛繊維処理剤の量は、人毛繊維の質量に対する浴比で（人毛繊維処理剤の質量／人毛繊維の質量）で、好ましくは２以上、より好ましくは３以上、更に好ましくは５以上、更に好ましくは10以上、更に好ましくは20以上であり、また好ましくは500以下、より好ましくは250以下、更に好ましくは100以下である。
すなわち、前記浴比は、好ましくは２〜500、より好ましくは３〜250、更に好ましくは５〜100、更により好ましくは10〜100、更により好ましくは20〜100である。
【００７０】
また、工程(ｉ)では、あらかじめ両端が自由端である人毛繊維をカーラー等で固定し、次いで、加熱下で、本発明の人毛繊維処理剤に浸漬してもよい。このようにすることで、人毛繊維に対し、形状持続性と高い耐久性に加え、所望の形状を同時に付与することができる。
【００７１】
工程(ｉ)における人毛繊維処理剤への人毛繊維の浸漬は、加熱下において行われ、この加熱は人毛繊維処理剤を加温することで行われる。なお、この加熱は、加熱状態の人毛繊維処理剤に人毛繊維を浸漬することで行ってもよいが、低温の人毛繊維処理剤に人毛繊維を浸漬した後加熱することで行ってもよい。人毛繊維処理剤の温度は、成分(A)、成分(B)と人毛繊維内のタンパク質との相互作用を大きくし、また人毛繊維内において成分(A)と成分(B)との縮合反応を促進することで本発明の効果を得るため、好ましくは50℃以上、より好ましくは60℃以上、更に好ましくは80℃以上であり、また、加熱中の処理剤が激しく沸騰して人毛繊維同士が絡まり、以降の工程での操作性が低下するのを防ぐため、好ましくは100℃未満、より好ましくは99℃以下である。
【００７２】
工程(ｉ)における浸漬時間は、使用する加熱温度によって適宜選ばれるが、人毛繊維処理剤を人毛繊維内に浸透・拡散させ、十分な重合を起こす観点から、好ましくは15分以上、より好ましくは30分以上、更に好ましくは１時間以上であり、また、人毛繊維ダメージ抑制のため、好ましくは48時間以下、より好ましくは24時間以下、更に好ましくは12時間以下である。
【００７３】
なお、人毛繊維処理剤が多剤式の場合、成分(B)を含有する第１剤と成分(A)を含有する第２剤とを混合してから人毛繊維を浸漬してもよいし、人毛繊維を第１剤と第２剤に逐次浸漬してもよい。第１剤と第２剤に逐次浸漬する場合、人毛繊維処理剤の浸透を促進し、効果を高める観点から、人毛繊維を第１剤に浸漬して一定時間そのまま維持した後、第２剤に浸漬してもよい。その場合の第１剤に浸漬する時間は、人毛繊維処理剤を人毛繊維内に浸透・拡散させるため、好ましくは１分以上、より好ましくは３分以上、更に好ましくは５分以上であり、また、好ましくは６時間以下、より好ましくは４時間以下、更に好ましくは２時間以下である。そしてこのとき、加温してもよく、加温する場合は40〜90℃で加温するのが好ましい。なお、この加温は第１剤の浸透を促進する観点から行われるものであり、工程(ｉ)における前記「加熱」とは異なるものである。人毛繊維処理剤が多剤式の場合、工程(ｉ)における前記「加熱」は、第１剤と第２剤に逐次浸漬した後に、又は第２剤への浸漬と同時に行われるものを指す。
【００７４】
また、工程(ｉ)において、人毛繊維を第１剤と第２剤に逐次浸漬する場合、第１剤に浸漬した後、第２剤に浸漬する前に、第１剤をすすぎ流す工程（以降、中間すすぎ工程と記載する）を含んでもよい。処理時間を短縮させる観点からは中間すすぎ工程は含まない方が好ましい。
【００７５】
工程(ｉ)は、処理後の人毛繊維により高い形状持続性と耐久性を付与する観点から、水分の蒸発が抑制される環境下で行われることが好ましい。水分の蒸発を抑制する具体的手段としては、人毛繊維が浸漬されている人毛繊維処理剤の容器を、水蒸気を透過しない素材でできたフィルム状物質、キャップ、フタ等で覆う方法が挙げられる。
【００７６】
工程(ｉ)の後、人毛繊維をすすいでもよく、またすすがなくてもよいが、余剰の重合物による人毛繊維感触低下を防ぐ観点から、すすぐ方が好ましい。
【００７７】
これらの処理によって、人毛繊維内に成分(A)及び(B)が浸透し、人毛繊維内タンパク質との相互作用を生じるものと思われる。また、人毛繊維内において成分(A)と成分(B)との縮合物が生成する。このため、本発明の方法により処理された人毛繊維の形状は、洗浄しても崩れ難いものとなる。
【００７８】
また、前記工程(ｉ)の後に、更に、下記工程(ii)を行ってもよく、工程(ii)を行うことにより、毛髪表面の感触を著しく向上させることができる。
(ii)成分(B1)及び(C)を含有する表面仕上げ剤(Ｉ)に人毛繊維を浸漬するステップ
【００７９】
この場合の好ましい成分(B1)としては、前述の人毛繊維処理剤における好ましい成分(B1)と同様であり、また表面仕上げ剤(Ｉ)中における成分(B1)の含有量は、好ましくは１質量％以上、より好ましくは2.5質量％以上、更に好ましくは５質量％以上、更により好ましくは10質量％以上、更により好ましくは20質量％以上であり、また好ましくは95質量％以下、より好ましくは90質量％以下、更に好ましくは88質量％以下、更により好ましくは85質量％以下、更により好ましくは80質量％以下である。
すなわち、表面仕上げ剤(Ｉ)中における成分(B1)の含有量は、好ましくは１〜95質量％、より好ましくは2.5〜90質量％、更に好ましくは５〜88質量％、更により好ましくは10〜85質量％、更により好ましくは20〜80質量％である。
【００８０】
なお、本発明の効果を損しない範囲で表面仕上げ剤(Ｉ)中に他の成分を含有してもよいが、毛髪表面の感触を向上させる観点から他の成分は３質量％以下が好ましく、１質量％以下がより好ましく、0.1質量％以下が更に好ましく、実質０質量％が更により好ましい。
【００８１】
表面仕上げ剤(Ｉ)のpHは、毛髪への浸透性を向上させる観点から、好ましくは7.0以下、より好ましくは6.8以下、更に好ましくは6.5以下であり、また、毛髪ダメージ抑制の観点から、好ましくは０以上、より好ましくは0.5以上、更に好ましくは1.0以上である。
すなわち、表面仕上げ剤(Ｉ)のpHは、毛髪への浸透性を向上させる観点及び毛髪ダメージを抑制する観点から、好ましくは０〜7.0、より好ましくは0.5〜6.8、更に好ましくは1.0〜6.5である。
【００８２】
工程(ii)において表面仕上げ剤(Ｉ)への人毛繊維の浸漬時間は、表面仕上げ剤(Ｉ)を人毛繊維内に浸透・拡散させるため、好ましくは１時間以上、より好ましくは３時間以上、更に好ましくは６時間以上、更により好ましくは24時間以上であり、また、好ましくは１か月以下、より好ましくは２週間以下、更に好ましくは10日以下、更により好ましくは168時間以下である。そしてこのとき、加温してもよく、加温する場合の温度は20〜90℃が好ましい。
【００８３】
工程(ii)において、表面仕上げ剤(Ｉ)に浸漬する人毛繊維は、乾燥していても濡れていてもよい。人毛繊維を浸漬する表面仕上げ剤(Ｉ)の量は、人毛繊維の質量に対する浴比で（表面仕上げ剤(Ｉ)の質量／工程(i)で処理された人毛繊維の質量）で、好ましくは２以上、より好ましくは３以上、更に好ましくは５以上、更に好ましくは10以上、更に好ましくは20以上であり、また好ましくは500以下、より好ましくは250以下、更に好ましくは100以下である。
すなわち、前記浴比は、好ましくは２〜500、より好ましくは３〜250、更に好ましくは５〜100、更に好ましくは10〜100、更により好ましくは20〜100である。
【００８４】
〔更に追加してもよい処理〕
本発明の人毛繊維処理方法は、前述の工程(ｉ)及び(ii)に加え、さらに、キューティクル除去、脱色、染毛、及び疎水性付与・低摩擦化のための表面仕上げから選ばれる１以上の各処理を追加して行ってもよい。
【００８５】
この際、キューティクル除去、脱色、及び染毛の各処理は、前述の工程(ｉ)及び(ii)の前に行っても、後に行ってもよく、また、工程(ｉ)〜(iii)の各工程の間に行ってもよい。また、複数の処理を組み合わせて追加することもでき、脱色と染毛の両方を追加する場合には、染毛の前に脱色を行う必要があることを除けば、どの処理を先に行ってもよく、脱色と染毛の間にキューティクル除去など別の処理を行うこともできる。
【００８６】
一方、疎水性付与・低摩擦化のための表面仕上げは、前述の工程(ｉ)の後に、又は工程(ii)の感触向上のための表面仕上げも併せて行う場合には工程(ii)の後に、行う必要があり、なかでも、工程(ii)の後に更に追加して行うことによって、より良好な結果を得ることができる。また、疎水性付与・低摩擦化のための表面仕上げは、上記のとおり工程(ｉ)、(ii)又は(iii)の後の段階で行うのであれば、キューティクル除去、脱色、染毛との処理順序は、特に限定されない。
【００８７】
（キューティクル除去）
人毛繊維表面にあるキューティクルは鱗が折り重なるように方向性を持った構造をしているため、方向性の異なる人毛繊維同士が一つの繊維束の中に混在すると、互いに引っかかって絡まりやすくなり、作業性を著しく損ねてしまう。それゆえキューティクル除去は、毛髪の方向性を除去し取り扱いを容易にするために行われ、以下に示すキューティクル除去用組成物に人毛繊維を浸漬することによって行われる。
【００８８】
キューティクル除去用組成物は、キューティクル剥離作用を有する塩素前駆体及び水を含有する。塩素前駆体としては、次亜塩素酸ソーダ、ジクロロイソシアヌル酸カリウム、ジクロロイソシアヌル酸ナトリウム、トリクロロイソシアヌル酸等が挙げられ、これらから選ばれる１以上の塩素前駆体を使用することができる。
【００８９】
キューティクル除去用組成物中における塩素前駆体の含有量は、好ましくは１質量％以上、より好ましくは２質量％以上であり、また、好ましくは15質量％以下、より好ましくは12質量％以下、更に好ましくは９質量％以下である。
【００９０】
キューティクル除去用組成物の25℃におけるpHは、好ましくは２以上、より好ましくは３以上、更に好ましくは4.5以上であり、また、好ましくは10以下、より好ましくは８以下、更に好ましくは７以下である。
【００９１】
（脱色）
脱色は、アルカリ剤、酸化剤及び水を含有する脱色剤組成物に人毛繊維を浸漬することによって行われる。脱色剤組成物は通常２剤型であり、第１剤はアルカリ剤及び水を含有し、第２剤は酸化剤及び水を含有する。この２剤は、通常、別々に保管され、毛髪を浸漬する前に混合される。
【００９２】
好適なアルカリ剤としては、例えば、アンモニア及びその塩；アルカノールアミン（モノエタノールアミン、イソプロパノールアミン、2-アミノ-2-メチルプロパノール、2-アミノブタノール等）及びこれらの塩；アルカンジアミン（1,3-プロパンジアミン等）及びその塩；並びに炭酸塩（炭酸グアニジン、炭酸ナトリウム、炭酸カリウム、炭酸水素ナトリウム、炭酸水素カリウム等）；並びにこれらの混合物が挙げられるが、これらに限定されない。
【００９３】
脱色剤組成物（２剤型の場合、第１剤と第２剤の混合物）中におけるアルカリ剤の含有量は、好ましくは0.1質量％以上、より好ましくは0.5質量％以上、更に好ましくは１質量％以上であり、また、好ましくは15質量％以下、より好ましくは10質量％以下、更に好ましくは7.5質量％以下である。
【００９４】
好適な酸化剤としては、例えば、過酸化水素、過酸化尿素、過酸化メラミン及び臭素酸ナトリウムが挙げられるが、これらに限定されない。これらの酸化剤の中でも過酸化水素が好ましい。
【００９５】
脱色剤組成物中における酸化剤の含有量は、好ましくは１質量％以上、より好ましくは２質量％以上であり、また、好ましくは15質量％以下、より好ましくは12質量％以下、更に好ましくは９質量％以下である。
【００９６】
第１剤と第２剤を別々に保管する場合、第２剤の25℃におけるpHは、好ましくは２以上、より好ましくは2.5以上であり、また、好ましくは６以下、より好ましくは４以下である。このpHは好適な緩衝剤で調整することができる。脱色剤組成物の25℃におけるpHは、好ましくは６以上、より好ましくは6.5以上、更に好ましくは6.8以上であり、また、好ましくは11以下、より好ましくは10.5以下、更に好ましくは10以下である。
【００９７】
（染毛）
染毛は、染毛剤組成物に人毛繊維を浸漬することによって行われる。染毛剤組成物は、染料を含有し、任意にアルカリ剤又は酸、酸化剤等を含有することができる。染料としては、直接染料、酸化染料及びこれらの組合せが挙げられる。
【００９８】
直接染料の種類は特に限定されず、染毛に適した任意の直接染料を使用することができる。直接染料の例としては、アニオン染料、ニトロ染料、分散染料、カチオン染料、並びに下記のHCレッド18、HCブルー18及びHCイエロー16からなる群より選択されるアゾフェノール構造を有する染料、並びにこれらの塩、並びにこれらの混合物が挙げられる。
【００９９】
【化６】
2019143281.tif 000007
【０１００】
カチオン染料としては、例えば、ベーシックブルー６、ベーシックブルー７、ベーシックブルー９、ベーシックブルー26、ベーシックブルー41、ベーシックブルー99、ベーシックブラウン４、ベーシックブラウン16、ベーシックブラウン17、ナチュラルブラウン７、ベーシックグリーン１、ベーシックオレンジ31、ベーシックレッド２、ベーシックレッド12、ベーシックレッド22、ベーシックレッド51、ベーシックレッド76、ベーシックバイオレット１、ベーシックバイオレット２、ベーシックバイオレット３、ベーシックバイオレット10、ベーシックバイオレット14、ベーシックイエロー57及びベーシックイエロー87並びにこれらの混合物が挙げられるが、これらに限定されない。ベーシックレッド51、ベーシックオレンジ31、ベーシックイエロー87及びこれらの混合物が特に好ましい。
【０１０１】
アニオン染料としては、例えば、アシッドブラック１、アシッドブルー１、アシッドブルー３、フードブルー５、アシッドブルー７、アシッドブルー９、アシッドブルー74、アシッドオレンジ３、アシッドオレンジ４、アシッドオレンジ６、アシッドオレンジ７、アシッドオレンジ10、アシッドレッド１、アシッドレッド14、アシッドレッド18、アシッドレッド27、アシッドレッド33、アシッドレッド50、アシッドレッド52、アシッドレッド73、アシッドレッド87、アシッドレッド88、アシッドレッド92、アシッドレッド155、アシッドレッド180、アシッドバイオレット２、アシッドバイオレット９、アシッドバイオレット43、アシッドバイオレット49、アシッドイエロー１、アシッドイエロー10、アシッドイエロー23、アシッドイエロー３、フードイエローNo.8、D&CブラウンNo.1、D&CグリーンNo.5、D&CグリーンNo.8、D&CオレンジNo.4、D&CオレンジNo.10、D&CオレンジNo.11、D&CレッドNo.21、D&CレッドNo.27、D&CレッドNo.33、D&Cバイオレット２、D&CイエローNo.7、D&CイエローNo.8、D&CイエローNo.10、FD&Cレッド２、FD&Cレッド40、FD&CレッドNo.4、FD&CイエローNo.6、FD&Cブルー１、フードブラック１、フードブラック２、並びにこれらのアルカリ金属塩（ナトリウム塩、カリウム塩等）及びこれらの混合物が挙げられるが、これらに限定されない。
【０１０２】
これらの中でも好ましいアニオン染料は、アシッドブラック１、アシッドレッド52、アシッドバイオレット２、アシッドバイオレット43、アシッドレッド33、アシッドオレンジ４、アシッドオレンジ７、アシッドレッド27、アシッドイエロー３及びアシッドイエロー10並びにこれらの塩である。より好ましいアニオン染料は、アシッドレッド52、アシッドバイオレット２、アシッドレッド33、アシッドオレンジ４及びアシッドイエロー10並びにこれらの塩及び混合物である。
【０１０３】
ニトロ染料としては、例えば、HCブルーNo.2、HCブルーNo.4、HCブルーNo.5、HCブルーNo.6、HCブルーNo.7、HCブルーNo.8、HCブルーNo.9、HCブルーNo.10、HCブルーNo.11、HCブルーNo.12、HCブルーNo.13、HCブラウンNo.1、HCブラウンNo.2、HCグリーンNo.1、HCオレンジNo.1、HCオレンジNo.2、HCオレンジNo.3、HCオレンジNo.5、HCレッドBN、HCレッドNo.1、HCレッドNo.3、HCレッドNo.7、HCレッドNo.8、HCレッドNo.9、HCレッドNo.10、HCレッドNo.11、HCレッドNo.13、HCレッドNo.54、HCレッドNo.14、HCバイオレットBS、HCバイオレットNo.1、HCバイオレットNo.2、HCイエローNo.2、HCイエローNo.4、HCイエローNo.5、HCイエローNo.6、HCイエローNo.7、HCイエローNo.8、HCイエローNo.9、HCイエローNo.10、HCイエローNo.11、HCイエローNo.12、HCイエローNo.13、HCイエローNo.14、HCイエローNo.15、2-アミノ-6-クロロ-4-ニトロフェノール、ピクラミン酸、1,2-ジアミノ-4-ニトロベンゾール、1,4-ジアミノ-2-ニトロベンゾール、3-ニトロ-4-アミノフェノール、1-ヒドロキシ-2-アミノ-3-ニトロベンゾール及び2-ヒドロキシエチルピクラミン酸並びにこれらの混合物が挙げられるが、これらに限定されない。
【０１０４】
分散染料としては、例えば、ディスパースブルー１、ディスパースブラック９及びディスパースバイオレット１及びこれらの混合物が挙げられるが、これらに限定されない。
【０１０５】
これらの直接染料は、単独で又は２種以上を組み合わせて使用することができ、イオン性が異なる直接染料を併用することもできる。
【０１０６】
染毛剤組成物中における直接染料の含有量は、十分な染毛性を得る観点から、好ましくは0.001質量％以上、より好ましくは0.01質量％以上、更に好ましくは0.05質量％以上であり、また、配合性の観点から、好ましくは10質量％以下、より好ましくは7.5質量％以下、更に好ましくは5.0質量％以下、更に好ましくは3.0質量％以下である。
【０１０７】
染毛剤組成物が染料として直接染料のみを含む場合は、毛髪を染色するために酸化剤は不要であるが、毛髪の色を明るくしたい場合は、酸化剤を組成物中に含有させることもできる。
【０１０８】
染毛剤組成物が酸化染料を含む場合、通常は２剤型となり、第１剤は、酸化染料中間体（プレカーサー及びカプラー）及びアルカリ剤を含み、第２剤は過酸化水素等の酸化剤を含む。この２剤は、通常、別々に保管され、毛髪を浸漬する前に混合される。
【０１０９】
酸化染料中間体としては、特に制限はなく、染毛製品に通常使用されている公知のいずれかのプレカーサー及びカプラーを好適に使用することができる。
【０１１０】
プレカーサーとしては、例えば、パラフェニレンジアミン、トルエン-2,5-ジアミン、2-クロロ-パラフェニレンジアミン、N-メトキシエチル-パラフェニレンジアミン、N-フェニルパラフェニレンジアミン、N,N-ビス(2-ヒドロキシエチル)-パラフェニレンジアミン、2-(2-ヒドロキシエチル)-パラフェニレンジアミン、2,6-ジメチル-パラフェニレンジアミン、4,4’-ジアミノジフェニルアミン、1,3-ビス(N-(2-ヒドロキシエチル)-N-(4-アミノフェニル)アミノ)-2-プロパノール、PEG-3,3,2’-パラフェニレンジアミン、パラアミノフェノール、パラメチルアミノフェノール、3-メチル-4-アミノフェノール、2-アミノメチル-4-アミノフェノール、2-(2-ヒドロキシエチルアミノメチル)-4-アミノフェノール、オルトアミノフェノール、2-アミノ-5-メチルフェノール、2-アミノ-6-メチルフェノール、2-アミノ-5-アセトアミドフェノール、3,4-ジアミノ安息香酸、5-アミノサリチル酸、2,4,5,6-テトラアミノピリミジン、2,5,6-トリアミノ-4-ヒドロキシピリミジン、4,5-ジアミノ-1-(4’-クロロベンジル)ピラゾール、4,5-ジアミノ-1-ヒドロキシエチルピラゾール並びにこれらの物質の塩及びこれらの混合物が挙げられるが、これらに限定されない。
【０１１１】
カプラーとしては、例えば、メタフェニレンジアミン、2,4-ジアミノフェノキシエタノール、2-アミノ-4-(2-ヒドロキシエチルアミノ)アニソール、2,4-ジアミノ-5-メチルフェネトール、2,4-ジアミノ-5-(2-ヒドロキシエトキシ)トルエン、2,4-ジメトキシ-1,3-ジアミノベンゼン、2,6-ビス(2-ヒドロキシエチルアミノ)トルエン、2,4-ジアミノ-5-フルオロトルエン、1,3-ビス(2,4-ジアミノフェノキシ)プロパン、メタアミノフェノール、2-メチル-5-アミノフェノール、2-メチル-5-(2-ヒドロキシエチルアミノ)フェノール、2,4-ジクロロ-3-アミノフェノール、2-クロロ-3-アミノ-6-メチルフェノール、2-メチル-4-クロロ-5-アミノフェノール、N-シクロペンチル-メタアミノフェノール、2-メチル-4-メトキシ-5-(2-ヒドロキシエチルアミノ)フェノール、2-メチル-4-フルオロ-5-アミノフェノール、パラアミノオルトクレゾール、レゾルシン、2-メチルレゾルシン、4-クロロレゾルシン、1-ナフトール、1,5-ジヒドロキシナフタレン、1,7-ジヒドロキシナフタレン、2,7-ジヒドロキシナフタレン、2-イソプロピル-5-メチルフェノール、4-ヒドロキシインドール、5-ヒドロキシインドール、6-ヒドロキシインドール、7-ヒドロキシインドール、6-ヒドロキシベンゾモルホリン、3,4-メチレンジオキシフェノール、2-ブロモ-4,5-メチレンジオキシフェノール、3,4-メチレンジオキシアニリン、1-(2-ヒドロキシエチル)アミノ-3,4-メチレンジオキシベンゼン、2,6-ジヒドロキシ-3,4-ジメチルピリジン、2,6-ジメトキシ-3,5-ジアミノピリジン、2,3-ジアミノ-6-メトキシピリジン、2-メチルアミノ-3-アミノ-6-メトキシピリジン、2-アミノ-3-ヒドロキシピリジン、2,6-ジアミノピリジン並びにこれらの物質の塩及びこれらの混合物が挙げられるが、これらに限定されない。
【０１１２】
染毛剤組成物中におけるプレカーサー及びカプラーの含有量は、それぞれ、好ましくは0.01質量％以上、より好ましくは0.1質量％以上であり、また、好ましくは10質量％以下、より好ましくは7.5質量％以下、更に好ましくは５質量％以下である。
【０１１３】
染毛剤組成物が酸化染料を含む場合には、更にアルカリ剤を含む。好適なアルカリ剤としては、例えば、アンモニア及びその塩；アルカノールアミン（モノエタノールアミン、イソプロパノールアミン、2-アミノ-2-メチルプロパノール、2-アミノブタノール等）及びこれらの塩；アルカンジアミン（1,3-プロパンジアミン等）及びその塩；並びに炭酸塩（炭酸グアニジン、炭酸ナトリウム、炭酸カリウム、炭酸水素ナトリウム、炭酸水素カリウム等）；並びにこれらの混合物が挙げられるが、これらに限定されない。
【０１１４】
染毛剤組成物中におけるアルカリ剤の含有量は、好ましくは0.1質量％以上、より好ましくは0.5質量％以上、更に好ましくは１質量％以上であり、また、好ましくは15質量％以下、より好ましくは10質量％以下、更に好ましくは7.5質量％以下である。
【０１１５】
染毛剤組成物が酸化染料を含む場合における酸化剤を含む組成物（第２剤）は、酸化染料を含む組成物（第１剤）とは別に保管され、毛髪を浸漬する前に混合される。好適な酸化剤としては、例えば、過酸化水素、過酸化尿素、過酸化メラミン及び臭素酸ナトリウムが挙げられるが、これらに限定されない。これらの酸化剤の中でも過酸化水素が好ましい。
【０１１６】
染毛剤組成物中における酸化剤の含有量は、好ましくは１質量％以上、より好ましくは２質量％以上であり、また、好ましくは15質量％以下、より好ましくは12質量％以下、更に好ましくは９質量％以下である。
【０１１７】
第１剤と第２剤を別々に保管を行う場合、第２剤の25℃におけるpHは、好ましくは２以上、より好ましくは2.5以上であり、また、好ましくは６以下、より好ましくは４以下である。このpHは好適な緩衝剤で調整することができる。第１剤と第２剤を混合してなる染毛剤組成物の25℃におけるpHは、好ましくは６以上、より好ましくは6.5以上、更に好ましくは6.8以上であり、また、好ましくは11以下、より好ましくは10.5以下、更に好ましくは10以下である。
【０１１８】
染毛剤組成物が酸化染料を含む場合、前に例示した直接染料を更に含むこともできる。
【０１１９】
染毛剤組成物は、好適には、更に以下に示す界面活性剤、コンディショニング成分等を含むことができ、好適には、溶液、エマルション、クリーム、ペースト及びムースの形態をとることができる。
【０１２０】
染毛剤組成物の温度は、染毛剤組成物を人毛繊維内部に効率よく浸透・拡散させ、染毛の効果をより高める観点から、好ましくは０℃以上、より好ましくは10℃以上、更に好ましくは20℃以上であり、また、好ましくは90℃以下、より好ましくは80℃以下である。
【０１２１】
（疎水性付与・低摩擦化のための表面仕上げ）
疎水性付与・低摩擦化のための表面仕上げは、前述の工程(ｉ)の後の段階で、工程(ii)の感触向上のための表面仕上げを行う場合には工程(ii)の後の段階で、以下に示す表面仕上げ剤(II)に毛髪を浸漬することによって行われる。
【０１２２】
表面仕上げ剤(II)は、以下の成分(D)を0.01質量％以上5.00質量％以下、及び水を含有する。
(D) 以下の化合物(a)〜(d)の反応産物であるエポキシアミノシランコポリマー
(a) 少なくとも二つのオキシラニル基又はオキセタニル基を有するポリシロキサン
(b) 少なくとも二つのオキシラニル基又はオキセタニル基を有するポリエーテル
(c) アミノプロピルトリアルコキシシラン
(d) 以下の第一級及び第二級アミンからなる群より選択される化合物
・第一級アミン：メチルアミン、エチルアミン、プロピレンアミン、エタノールアミン、イソプロピルアミン、ブチルアミン、イソブチルアミン、ヘキシルアミン、ドデシルアミン、オレイルアミン、アニリン、アミノプロピルトリメチルシラン、アミノプロピルトリエチルシラン、アミノモルホリン、アミノプロピルジエチルアミン、ベンジルアミン、ナフチルアミン、3-アミノ-9-エチルカルバゾール、1-アミノヘプタフロロヘキサン、2,2,3,3,4,4,5,5,6,6,7,7,8,8,8-ペンタデカフルオロ-1-オクタンアミン
・第二級アミン：メチルエチルアミン、メチルオクタデシルアミン、ジエタノールアミン、ジベンジルアミン、ジヘキシルアミンジシクロヘキシルアミン、ピペリジン、ピロリジンフタルイミド、ポリマーアミン
【０１２３】
〔成分(D)：エポキシアミノシランコポリマー〕
成分(D)のエポキシアミノシランコポリマーは、以下に示す化合物(a)〜(d)の反応産物である。
【０１２４】
＜化合物(a)、(b)＞
化合物(a)は、少なくとも二つのオキシラニル基又はオキセタニル基を含有するポリシロキサンであり、例えば、次の一般式(5)で表されるものが挙げられる。
【０１２５】
【化７】
2019143281.tif 000008
【０１２６】
〔式中、Ｒは末端にオキシラニル基又はオキセタニル基を有する、ヘテロ原子を含んでもよい炭素数１〜６の炭化水素基を示し、ｘは１〜1000の数を示す。〕
【０１２７】
化合物(b)は、少なくとも二つのオキシラニル基又はオキセタニル基を含有するポリエーテルであり、例えば、次の一般式(6)で表されるものが挙げられる。
【０１２８】
【化８】
2019143281.tif 000009
【０１２９】
〔式中、Ｒは前記と同じ意味を示し、ｙは１〜100、ｚは０〜100であってｙ＋ｚが１〜200となる数を示す。〕
【０１３０】
一般式(5)及び(6)において、Ｒが含んでもよいヘテロ原子としては酸素原子が好ましい。Ｒとしてはオキシラニルメチル基（グリシジル基）、オキシラニルメトキシ基（グリシジルオキシ基）、オキシラニルメトキシプロピル基（グリシジルオキシプロピル基）、オキセタニルメチル基、オキセタニルメトキシ基、オキセタニルメトキシプロピル基、3-エチルオキセタニルメチル基等が挙げられ、なかでも、オキシラニル基を有する、ヘテロ酸素原子を含んでもよい炭素数１〜４の炭化水素基が好ましく、オキシラニルメチル基（グリシジル基）、オキシラニルメトキシ基（グリシジルオキシ基）、オキシラニルメトキシプロピル基（グリシジルオキシプロピル基）から選ばれる少なくとも１種が更に好ましい。
【０１３１】
＜化合物(c)＞
化合物(c)は、アミノプロピルトリアルコキシシランである。化合物(c)におけるアルコキシ基としては、炭素数１〜６のものが挙げられ、炭素数２〜４のもの、更には炭素数３のものが好ましく、なかでもイソプロポキシ基が好ましい。化合物(c)としては、アミノプロピルトリメトキシシラン、アミノプロピルトリエトキシシラン、アミノプロピルトリプロポキシシラン、アミノプロピルトリイソプロポキシシラン、アミノプロピルトリブトキシシラン、アミノプロピルトリtert-ブトキシシランが挙げられ、なかでもアミノプロピルトリイソプロポキシシランが好ましい。化合物(c)は、いずれかを単独で又は２種以上を組み合わせて使用することができる。
【０１３２】
＜化合物(d)＞
化合物(d)は、以下の第一級及び第二級アミンからなる群より選択される化合物である。
・第一級アミン：メチルアミン、エチルアミン、プロピレンアミン、エタノールアミン、イソプロピルアミン、ブチルアミン、イソブチルアミン、ヘキシルアミン、ドデシルアミン、オレイルアミン、アニリン、アミノプロピルトリメチルシラン、アミノプロピルトリエチルシラン、アミノモルホリン、アミノエチルジメチルアミン、アミノエチルジエチルアミン、アミノエチルジブチルアミン、アミノプロピルジメチルアミン、アミノプロピルジエチルアミン、アミノプロピルジブチルアミン、ベンジルアミン、ナフチルアミン、3-アミノ-9-エチルカルバゾール、1-アミノヘプタフロロヘキサン、2,2,3,3,4,4,5,5,6,6,7,7,8,8,8-ペンタデカフルオロ-1-オクタンアミン
・第二級アミン：メチルエチルアミン、メチルオクタデシルアミン、ジエタノールアミン、ジベンジルアミン、ジヘキシルアミンジシクロヘキシルアミン、ピペリジン、ピロリジンフタルイミド、ポリマーアミン
【０１３３】
これらのうち、第一級アミンが好ましく、アミノプロピルジエチルアミン、アミノプロピルジメチルアミン、アミノプロピルジブチルアミンから選ばれる１種が更に好ましい。化合物(d)は、いずれかを単独で又は２種以上を組み合わせて使用することができる。
【０１３４】
化合物(a)〜(d)の反応は、例えば、イソプロパノール等の溶媒中で一定時間還流することによって行われる。ここで、化合物(a)及び(b)のオキシラニル基又はオキセタニル基の化合物(c)のアミノ基に対するモル比は、好ましくは１以上、より好ましくは1.1以上、更に好ましくは1.2以上であり、また、好ましくは４以下、より好ましくは3.9以下、更に好ましくは3.8以下である。
【０１３５】
成分(D)としては、ポリシリコーン-29のINCI名を有するものが挙げられ、その市販品の例としては、モメンティブ・パフォーマンス・マテリアルズ社のSilsoft CLX-E（有効分15質量％、ジプロピレングリコール及び水を含む）が挙げられる。
【０１３６】
表面仕上げ剤(II)中における成分(D)の含有量は、人毛繊維に十分な疎水性を与える観点から、0.01質量％以上であって、好ましくは0.05質量％以上、より好ましくは0.10質量％以上、更に好ましくは0.20質量％以上であり、また、べたついた感触を与えない観点から、5.00質量％以下であって、好ましくは4.00質量％以下、より好ましくは3.00質量％以下、更に好ましくは2.00質量％以下である。
【０１３７】
〔pH調整剤〕
表面仕上げ剤(II)の25℃におけるpHは、酸性領域又は塩基性領域において成分(D)のトリアルコキシシラン部の反応速度を高める観点から、以下の範囲が好ましい。表面仕上げ剤(II)を酸性領域とする場合は、好ましくは１以上、より好ましくは1.5以上、更に好ましくは２以上であって、好ましくは５以下、より好ましくは4.0以下、更に好ましくは3.5以下である。また、表面仕上げ剤(II)を塩基性領域とする場合は、好ましくは７以上、より好ましくは7.5以上、更に好ましくは8.0以上であって、好ましくは11以下、より好ましくは10.5以下、更に好ましくは10以下である。表面仕上げ剤(II)のpHを上記範囲に調整するために、表面仕上げ剤(II)には、適宜pH調整剤を含有することができる。pH調整剤としては、アルカリ剤として、モノエタノールアミン、イソプロパノールアミン、2-アミノ-2-メチルプロパノール、2-アミノブタノール等のアルカノールアミン又はその塩；1,3-プロパンジアミン等のアルカンジアミン又はその塩；炭酸グアニジン、炭酸ナトリウム、炭酸カリウム、炭酸水素ナトリウム、炭酸水素カリウム等の炭酸塩；水酸化ナトリウム、水酸化カリウム等の水酸化物等を使用することができる。また、酸剤として、塩酸、リン酸等の無機酸、塩酸モノエタノールアミン等の塩酸塩；リン酸二水素一カリウム、リン酸一水素二ナトリウム等のリン酸塩、乳酸、リンゴ酸等の有機酸等を使用することができる。
【０１３８】
人毛繊維を浸漬する表面仕上げ剤(II)の量は、人毛繊維の質量に対する浴比（表面仕上げ剤(II)の質量／人毛繊維の質量）で、好ましくは２以上、より好ましくは５以上、更に好ましくは10以上であり、また好ましくは100以下、より好ましくは50以下、更に好ましくは20以下である。
【０１３９】
以上の人毛繊維処理方法によって、人毛繊維を処理することにより、人毛の自然な見た目を保持したまま、形状持続性、耐久性に優れるかつら用人毛繊維を製造することができ、また、当該繊維を用いてかつらを製造することができる。
【０１４０】
また、本発明の人毛繊維処理方法によって人毛繊維を処理することにより、人毛の自然な見た目を保持したまま、形状持続性、耐久性に優れるヘアエクステンション用人毛繊維を製造することができ、また、当該繊維を用いてヘアエクステンションを製造することができる。
【０１４１】
また、人毛の自然な見た目及び感触の良さを保持したまま、形状持続性、耐久性に優れるかつら用人毛繊維を製造することができる処理剤及び該処理剤を使用した処理方法として、以下の態様が好ましい。
【０１４２】
［処理剤１］
両端が自由端である人毛繊維を処理するための、単一又は複数の組成物から構成される人毛繊維処理剤であって、その組成中に以下の成分(A)〜(C)及びエタノールを含有しpHが1.0〜4.5である人毛繊維処理剤。
(A) ホルムアルデヒド又はグリオキサール  ５〜15質量％
(B) レゾルシン又は1-ナフトール  10〜20質量％
(C) 水  残量
エタノール  ０〜40質量％
【０１４３】
［処理方法１］
下記工程(ｉ)を含む人毛繊維処理方法。
(ｉ) 両端が自由端である人毛繊維を人毛繊維処理剤に、90〜99℃の加熱下で、１〜３時間、（人毛繊維処理剤質量）／（人毛繊維質量）＝20〜100の浴比で浸漬するステップ
前記人毛繊維処理剤は、単一又は複数の組成物から構成され、その組成中に以下の成分(A)〜(C)及びエタノールを含有し、そのpHは1.0〜4.5である。
(A) ホルムアルデヒド又はグリオキサール  ５〜15質量％
(B) レゾルシン又は1-ナフトール  10〜20質量％
(C) 水  残量
エタノール  ０〜40質量％
【０１４４】
［処理方法１'］
処理方法１の工程(ｉ)の後、更に下記工程(ii)を行う人毛繊維処理方法。
(ii) 工程(ｉ)で処理された人毛繊維を表面仕上げ剤(Ｉ)に、20〜90℃の温度下で、24〜168時間、（表面仕上げ剤(Ｉ)の質量）／（工程(ｉ)で処理された人毛繊維質量）＝20〜100の浴比で浸漬するステップ
前記表面仕上げ剤(Ｉ)は、成分(B1)及び(C)を含有し、そのpHは1.0〜6.5である。
(B1) レゾルシン  20〜80質量％
(C) 水  残量
【０１４５】
［処理剤２］
両端が自由端である人毛繊維を処理するための人毛繊維処理剤であって、以下に示す第１剤及び第２剤を含み、第１剤と第２剤とを等量混合した際のpHが2.0〜5.0である多剤型人毛繊維処理剤。
成分(B)及び(C)を含有しpHが2.0〜5.5である第１剤。
(B) カテキン（Catechin）、エピガロカテキン（Epigallocatechin）及びエピガロカテキンガレート（Epigallocatechin gallate）から選ばれるいずれか一種  ５〜30質量％
(C) 水  残量
成分(A)及び(C)並びにエタノールを含有しpHが1.0〜4.5である第２剤。
(A) ホルムアルデヒド又はグリオキサール  ５〜15質量％
(C) 水  残量
エタノール  ０〜40質量％
【０１４６】
［処理剤２'］
処理剤２における第１剤及び第２剤に加え、更に、レゾルシンを20〜80質量％及び水を含有しpHが１〜6.5である表面処理剤(Ｉ)を含む人毛繊維処理剤キット。
【０１４７】
［処理方法２］
下記工程(i-1)及び(i-2)を含む人毛繊維処理方法。
(i-1) 両端が自由端である人毛繊維を第１剤に、90〜99℃の加熱下で、１〜３時間、（人毛繊維処理剤質量）／（人毛繊維質量）＝20〜100の浴比で浸漬するステップ
前記第１剤は、以下の成分(B)及び(C)を含有し、pHが2.0〜5.5である。
(B) カテキン（Catechin）、エピガロカテキン（Epigallocatechin）、エピガロカテキンガレート（Epigallocatechin gallate）から選ばれるいずれか一種  ５〜30質量％
(C) 水  残量
(i-2) 工程(i-1)で処理された人毛繊維を第２剤に、90〜99℃の加熱下で、１〜３時間、（第２剤質量）／（工程(i-1)で処理された人毛繊維質量）＝20〜100の浴比で浸漬するステップ
前記第２剤は、以下の成分(A)及び(C)並びにエタノールを含有し、pHが1.0〜4.5である。
(A) ホルムアルデヒドもしくはグリオキサール  ５〜15質量％
(C) 水  残量
エタノール  ０〜40質量％
【０１４８】
［処理方法２'］
処理方法２において、工程(ｉ)の後、更に下記工程(ii)を行う人毛繊維処理方法。
(ii) 工程(ｉ)で処理された人毛繊維を表面仕上げ剤(Ｉ)に、20〜90℃の温度下で、24〜168時間、（表面仕上げ剤(Ｉ)の質量）／（工程（i）で処理された人毛繊維質量）＝20〜100の浴比で浸漬するステップ
前記表面仕上げ剤(Ｉ)は、成分(B1)及び(C)を含有し、pHが1.0〜6.5である。
(B1) レゾルシン  20〜60質量％
(C) 水  残量
【０１４９】
以上述べた実施形態に関し、以下に本発明の好ましい態様を更に開示する。
【０１５０】
＜１＞
両端が自由端である人毛繊維を処理するための、単一又は複数の組成物から構成される人毛繊維処理剤であって、その組成中に以下の成分(A)〜(C)を含有する人毛繊維処理剤。
(A)：ホルムアルデヒド、ホルムアルデヒドの水和物、グリオキシル酸、グリオキシル酸の水和物、グリオキシル酸塩、グリオキサール、グリオキサールの水和物、グルタルアルデヒド、及びグルタルアルデヒドの水和物から選ばれる少なくとも１種のホルムアルデヒド誘導体
(B)：メタ位の少なくとも１ヶ所に電子供与基を有し、オルト位とパラ位の少なくとも一か所が水素原子であるフェノール化合物（ただし、メタ位の電子供与基は隣接する炭素原子と共に水酸基が置換してもよいベンゼン環を形成してもよい）
(C)：水
【０１５１】
＜２＞
成分(A)が、好ましくはホルムアルデヒド及びグリオキシル酸から選ばれる１種以上を含むものである＜１＞に記載の人毛繊維処理剤。
【０１５２】
＜３＞
成分(A)の含有量が、好ましくは0.1質量％以上、より好ましくは１質量％以上、更に好ましくは2.5質量％以上、更により好ましくは５質量％以上であり、また、好ましくは60質量％以下、より好ましくは50質量％以下、更に好ましくは40質量％以下、更に好ましくは35質量％以下、更により好ましくは30質量％以下、更により好ましくは20質量％以下、更により好ましくは15質量％以下である、＜１＞又は＜２＞に記載の人毛繊維処理剤。
【０１５３】
＜４＞
成分(B)が、好ましくは次の成分(B1)である＜１＞〜＜３＞のいずれか１項に記載の人毛繊維処理剤。
(B1)：一般式(1)で表されるレゾルシン誘導体
【０１５４】
【化９】
2019143281.tif 000010
【０１５５】
〔式中、
Ａ1〜Ａ4は、同一でも異なってもよく、水素原子、水酸基、ハロゲン原子、カルボキシル基若しくはその塩、スルホン酸基若しくはその塩、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示す。〕
【０１５６】
＜５＞
成分(B1)が、好ましくはレゾルシン、2-メチルレゾルシン、4-クロロレゾルシン及びピロガロールから選ばれるものである＜４＞に記載の人毛繊維処理剤。
【０１５７】
＜６＞
成分(B)が、好ましくは次の成分(B2)である＜１＞〜＜３＞のいずれか１項に記載の人毛繊維処理剤。
(B2)：一般式(2)又は(3)で表されるナフトール誘導体
【０１５８】
【化１０】
2019143281.tif 000011
【０１５９】
〔式中、
Ｒ1は、水素原子又はメチル基を示し、
Ａ5は、水素原子、炭素数１〜12の直鎖若しくは分岐鎖のアルキル基若しくはアルケニル基、置換基を有してもよい炭素数７〜12のアラルキル基若しくはアリールアルケニル基、炭素数１〜６の直鎖若しくは分岐鎖のアルコキシ基若しくはアルケニルオキシ基、ハロゲン原子又は−ＣＯ−Ｒ2（Ｒ2は炭素数１〜12の直鎖若しくは分岐鎖のアルキル基若しくはアルケニル基、置換基を有してもよい炭素数７〜12のアラルキル基若しくはアリールアルケニル基又は置換基を有してもよい炭素数６〜12の芳香族炭化水素基）を示し、
Ｄは、水素原子、水酸基、メチル基又は炭素数１〜12の直鎖若しくは分岐鎖のアルコキシ基若しくはアルケニルオキシ基を示し、
Ｅは、水素原子、水酸基、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示し、
Ｇは、水酸基、炭素数１〜６の直鎖若しくは分岐鎖のアルキル基若しくはアルケニル基、又は炭素数１〜６のアルコキシ基を示し、ｎは０から２の整数を示す。〕
【０１６０】
＜７＞
成分(B2)が、好ましくは1-ナフトール、2-ナフトール、3-メチルナフタレン-1-オール、ナフタレン-1,5-ジオール及びナフタレン-1,8-ジオールから選ばれるものである＜６＞に記載の人毛繊維処理剤。
【０１６１】
＜８＞
成分(B)が、好ましくは次の成分(B3)である＜１＞〜＜３＞のいずれか１項に記載の人毛繊維処理剤。
(B3)：一般式(4)で表される化合物
【０１６２】
【化１１】
2019143281.tif 000012
【０１６３】
〔式中、
Ｒ3は、水素原子又はメチル基を示し、
Ｘは、水素原子、水酸基又はメトキシ基を示し、
Ｒ4は、水酸基又はメトキシ基が３個まで置換してもよく1,3-ジオキソランとの縮合環を形成してもよい芳香族炭化水素基を示し、
Ｒ5は、水酸基、メトキシ基、若しくは水酸基若しくはメトキシ基が３個まで置換してもよく1,3-ジオキソランとの縮合環を形成してもよい芳香族炭化水素基、又は水酸基若しくはメトキシ基が３個まで置換してもよいアリールカルボニルオキシ基若しくはアラルキルカルボニルオキシ基を示す。〕
【０１６４】
＜９＞
成分(B3)が、好ましくはカテキン（Catechin）、エピカテキン（Epicatechin）、エピガロカテキン（Epigallocatechin）、カテキンガレート（Catechin gallate）、エピカテキンガレート（Epicatechin gallate）又はエピガロカテキンガレート（Epigallocatechin gallate）であり、より好ましくはカテキン、エピガロカテキン及びエピガロカテキンガレートから選ばれる１種以上である＜８＞に記載の人毛繊維処理剤。
【０１６５】
＜10＞
成分(B)の含有量が、好ましくは0.1質量％以上、より好ましくは１質量％以上、更に好ましくは2.5質量％以上、更により好ましくは５質量％以上であり、また、好ましくは60質量％以下、より好ましくは50質量％以下、更に好ましくは40質量％以下、更に好ましくは35質量％以下、更により好ましくは30質量％以下である、＜１＞〜＜９＞のいずれか１項に記載の人毛繊維処理剤。
【０１６６】
＜11＞
成分(A)に対する成分(B)のモル比(B)／(A)が、好ましくは0.005以上、より好ましくは0.01以上、更に好ましくは0.05以上、更により好ましくは0.1以上、更により好ましくは0.5以上であり、また、好ましくは５未満、より好ましくは４以下、更に好ましくは３以下、更により好ましくは２以下、更により好ましくは1.8以下である、＜１＞〜＜10＞のいずれか１項に記載の人毛繊維処理剤。
【０１６７】
＜12＞
成分(C)の含有量が、好ましくは10質量％以上、より好ましくは20質量％以上、更に好ましくは30質量％以上、更により好ましくは40質量％以上であり、また好ましくは99質量％以下、より好ましくは97質量％以下、更に好ましくは95質量％以下、更により好ましくは90質量％以下である、＜１＞〜＜11＞のいずれか１項に記載の人毛繊維処理剤。
【０１６８】
＜13＞
好ましくは、成分(A)〜(C)を一つの組成物中に含有する一剤式人毛繊維処理剤である、＜１＞〜＜12＞のいずれか１項に記載の人毛繊維処理剤。
【０１６９】
＜14＞
25℃におけるpHが、好ましくは5.0以下、より好ましくは4.8以下、更に好ましくは4.5以下であり、また、好ましくは０以上、より好ましくは0.5以上、更に好ましくは1.0以上である、＜13＞に記載の人毛繊維処理剤。
【０１７０】
＜15＞
好ましくは、成分(B)及び(C)を含有する第１剤、並びに成分(A)及び(C)を含有する第２剤を含む多剤式人毛繊維処理剤である、＜１＞〜＜12＞のいずれか１項に記載の人毛繊維処理剤。
【０１７１】
＜16＞
第１剤中における成分(B)の含有量が、好ましくは0.1質量％以上、より好ましくは１質量％以上、更に好ましくは2.5質量％以上、更により好ましくは５質量％以上であり、また好ましくは50質量％以下、より好ましくは40質量％以下、更に好ましくは35質量％以下、更により好ましくは30質量％以下である、＜15＞に記載の人毛繊維処理剤。
【０１７２】
＜17＞
第２剤中における成分(A)の含有量が、好ましくは0.1質量％以上、より好ましくは１質量％以上、更に好ましくは2.5質量％以上、更により好ましくは５質量％以上であり、また、好ましくは50質量％以下、より好ましくは40質量％以下、更に好ましくは35質量％以下、更により好ましくは30質量％以下である、＜15＞又は＜16＞に記載の人毛繊維処理剤。
【０１７３】
＜18＞
第１剤及び第２剤のそれぞれの25℃におけるpHが、好ましくは6.0以下、より好ましくは5.8以下、更に好ましくは5.5以下であり、また、好ましくは０以上、より好ましくは0.5以上、更に好ましくは1.0以上、更に好ましくは2.0以上である、＜15＞〜＜17＞のいずれか１項に記載の人毛繊維処理剤。
【０１７４】
＜19＞
下記工程(ｉ)を含む人毛繊維処理方法。
(ｉ)加熱下で、＜１＞〜＜18＞のいずれかに記載の人毛繊維処理剤に両端が自由端である人毛繊維を浸漬するステップ
【０１７５】
＜20＞
人毛繊維処理剤に人毛繊維を浸漬する際の浴比（人毛繊維処理剤質量）／（人毛繊維質量）が、好ましくは２以上、より好ましくは３以上、更に好ましくは５以上、更に好ましくは10以上、更に好ましくは20以上であり、また好ましくは500以下、より好ましくは250以下、更に好ましくは100以下である、＜19＞に記載の人毛繊維処理方法。
【０１７６】
＜21＞
人毛繊維を浸漬する人毛繊維処理剤の温度が、好ましくは50℃以上、より好ましくは60℃以上、更に好ましくは80℃以上であり、また、好ましくは100℃未満、より好ましくは99℃以下である、＜19＞又は＜20＞に記載の人毛繊維処理方法。
【０１７７】
＜22＞
人毛繊維の人毛繊維処理剤への浸漬時間が、好ましくは15分以上、より好ましくは30分以上、更に好ましくは１時間以上であり、また、好ましくは48時間以下、より好ましくは24時間以下、更に好ましくは12時間以下である、＜19＞〜＜21＞のいずれか１項に記載の人毛繊維処理方法。
【０１７８】
＜23＞
好ましくは、工程(ｉ)の後、更に下記工程(ii)を行う、＜19＞〜＜22＞のいずれか１項に記載の人毛繊維処理方法。
(ii)成分(B1)及び(C)を含有する表面仕上げ剤(Ｉ)に人毛繊維を浸漬するステップ
(B1)：一般式(1)で表されるレゾルシン誘導体
【０１７９】
【化１２】
2019143281.tif 000013
【０１８０】
〔式中、
Ａ1〜Ａ4は、同一でも異なってもよく、水素原子、水酸基、ハロゲン原子、カルボキシル基若しくはその塩、スルホン酸基若しくはその塩、炭素数１〜６の直鎖若しくは分岐鎖のアルキル基若しくはアルケニル基、又は炭素数１〜６の直鎖若しくは分岐鎖のアルコキシ基若しくはアルケニルオキシ基を示す。〕
(C)：水
【０１８１】
＜24＞
表面仕上げ剤(Ｉ)中における成分(B1)の含有量が、好ましくは１質量％以上、より好ましくは2.5質量％以上、更に好ましくは５質量％以上、更により好ましくは10質量％以上、更により好ましくは20質量％以上であり、また、好ましくは95質量％以下、より好ましくは90質量％以下、更に好ましくは88質量％以下、更により好ましくは85質量％以下、更により好ましく80質量％以下である、＜23＞に記載の人毛繊維処理方法。
【０１８２】
＜25＞
表面仕上げ剤(Ｉ)の25℃におけるpHが、好ましくは7.0以下、より好ましくは6.8以下、更に好ましくは6.5以下であり、また、好ましくは０以上、より好ましくは0.5以上、更に好ましくは1.0以上である、＜23＞又は＜24＞に記載の人毛繊維処理方法。
【０１８３】
＜26＞
表面仕上げ剤(Ｉ)に人毛繊維を浸漬する際の浴比（表面仕上げ剤(Ｉ)の質量／工程(i)で処理された人毛繊維の質量）が、好ましくは２以上、より好ましくは３以上、更に好ましくは５以上、更に好ましくは10以上、更に好ましくは20以上であり、また好ましくは500以下、より好ましくは250以下、更に好ましくは100以下である、＜23＞〜＜25＞のいずれか１項に記載の人毛繊維処理方法。
【０１８４】
＜27＞
表面仕上げ剤(Ｉ)への人毛繊維の浸漬時間が、好ましくは１時間以上、より好ましくは３時間以上、更に好ましくは６時間以上、更により好ましくは24時間以上であり、また、好ましくは１か月以下、より好ましくは２週間以下、更に好ましくは10日以下、更により好ましくは168時間以下である、＜23＞〜＜26＞のいずれか１項に記載の人毛繊維処理方法。
【０１８５】
＜28＞
＜19＞〜＜27＞のいずれか１項に記載の人毛繊維処理方法によって、かつら用人毛繊維を処理する工程を含む、かつらの製造方法。
【０１８６】
＜29＞
両端が自由端である人毛繊維を処理するための、単一又は複数の組成物から構成される人毛繊維処理剤であって、その組成中に以下の成分(A)〜(C)及びエタノールを含有しpHが1.0〜4.5である人毛繊維処理剤。
(A) ホルムアルデヒド又はグリオキサール  ５〜15質量％
(B) レゾルシン又は1-ナフトール  10〜20質量％
(C) 水  残量
エタノール  ０〜40質量％
【０１８７】
＜30＞
下記工程(ｉ)を含む人毛繊維処理方法。
(ｉ) 両端が自由端である人毛繊維を人毛繊維処理剤に、90〜99℃の加熱下で、１〜３時間、（人毛繊維処理剤質量）／（人毛繊維質量）＝20〜100の浴比で浸漬するステップ
前記人毛繊維処理剤は、単一又は複数の組成物から構成され、その組成中に以下の成分(A)〜(C)及びエタノールを含有し、そのpHは1.0〜4.5である。
(A) ホルムアルデヒド又はグリオキサール  ５〜15質量％
(B) レゾルシン又は1-ナフトール  10〜20質量％
(C) 水  残量
エタノール  ０〜40質量％
【０１８８】
＜31＞
好ましくは、工程(ｉ)の後、更に下記工程(ii)を行う、＜30＞に記載の人毛繊維処理方法。
(ii) 工程(ｉ)で処理された人毛繊維を表面仕上げ剤(Ｉ)に、20〜90℃の温度下で、24〜168時間、（表面仕上げ剤(Ｉ)の質量）／（工程(ｉ)で処理された人毛繊維質量）＝20〜100の浴比で浸漬するステップ
前記表面仕上げ剤(Ｉ)は、成分(B1)及び(C)を含有し、そのpHは1.0〜6.5である。
(B1) レゾルシン  20〜80質量％
(C) 水  残量
【０１８９】
＜32＞
両端が自由端である人毛繊維を処理するための人毛繊維処理剤であって、以下に示す第１剤及び２剤を含み、第１剤と第２剤とを等量混合した際のpHが2.0〜5.0である多剤型人毛繊維処理剤。
成分(B)及び(C)を含有しpHが2.0〜5.5である第１剤。
(B) カテキン（Catechin）、エピガロカテキン（Epigallocatechin）及びエピガロカテキンガレート（Epigallocatechin gallate）から選ばれるいずれか一種  ５〜30質量％
(C) 水  残量
成分(A)及び(C)並びにエタノールを含有しpHが1.0〜4.5である第２剤。
(A) ホルムアルデヒド又はグリオキサール  ５〜15質量％
(C) 水  残量
エタノール  ０〜40質量％
【０１９０】
＜33＞
＜32＞に記載の第１剤及び第２剤に加え、更に、レゾルシンを20〜80質量％及び水を含有しpHが１〜6.5である表面処理剤を含む人毛繊維処理剤キット。
【０１９１】
＜34＞
下記工程(i-1)及び(i-2)を含む人毛繊維処理方法。
(i-1) 両端が自由端である人毛繊維を第１剤に、90〜99℃の加熱下で、１〜３時間、（第１剤質量）／（人毛繊維質量）＝20〜100の浴比で浸漬するステップ
前記第１剤は、以下の成分(B)及び(C)を含有し、pHが2.0〜5.5である。
(B) カテキン（Catechin）、エピガロカテキン（Epigallocatechin）、エピガロカテキンガレート（Epigallocatechin gallate）から選ばれるいずれか一種  ５〜30質量％
(C) 水  残量
(i-2) 第２剤に工程(i-1)で処理された人毛繊維を、90〜99℃の加熱下で、１〜３時間、（第２剤質量）／（工程(i-1)で処理された人毛繊維質量）＝20〜100の浴比で浸漬するステップ
前記第２剤は、以下の成分(A)及び(C)並びにエタノールを含有し、pHが1.0〜4.5である。
(A) ホルムアルデヒドもしくはグリオキサール  ５〜15質量％
(C) 水  残量
エタノール  ０〜40質量％
【０１９２】
＜35＞
好ましくは、工程(ｉ)の後、更に下記工程(ii)を行う、＜34＞に記載の人毛繊維処理方法。
(ii) 工程(ｉ)で処理された人毛繊維を表面仕上げ剤(Ｉ)に、20〜90℃の温度下で、24〜168時間、（表面仕上げ剤(Ｉ)の質量）／（工程（i）で処理された人毛繊維質量）＝20〜100の浴比で浸漬するステップ
前記表面仕上げ剤(Ｉ)は、成分(B1)及び(C)を含有し、pHが1.0〜6.5である。
(B1) レゾルシン  20〜60質量％
(C) 水  残量
【実施例】
【０１９３】
実施例１〜４（一剤式人毛繊維処理剤による処理）
表１に示す処理剤を調製し、以下の処理を行い、それぞれの形状持続性、表面感触のよさ、耐久性を評価した。この結果を表１に併せて示す。なお、各組成物のpHは、調製した組成物を室温（25℃）において、そのままpHメーター（HORIBA社製、F-52）で測定した。
【０１９４】
＜人毛繊維処理剤による処理＞
１．コーカシアン毛（未処理毛 / ほぼ直毛だがごくわずかなうねりがある）0.5ｇの長さ25cmの毛束を、人毛繊維処理剤40gが入った容器に浸漬し、容器の口をラップで覆って密閉して90℃設定のオーブン（ステンレス窓付強制対流乾燥器；アズワン社製、SOFW-450）にて３時間加熱した。
２．毛束の入った容器をオーブンから取り出し、室温に戻した。
３．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
【０１９５】
＜形状持続性＞
１．＜人毛繊維処理剤による処理＞を施した毛束（直毛）を30℃の水道水で30秒間濡らした後、濡れた毛束を直径14mmのプラスチック製ロッドに巻き付け、クリップで固定した。
２．ロッドの全体をラップで覆って密封し、90℃設定のオーブンにて１時間加熱した。
３．毛束をオーブンから取り出し、室温に戻した。
４．毛束をロッドから外し、水道水の30℃流水にて30秒すすぎ、評価用シャンプーで60秒泡立てた。
５．水道水の30℃流水にて30秒すすぎ、30℃の水道水中に無限浴比で60秒浸漬した後、毛束の根本を持って静かに水中から引き上げ、軽く振動を与えて水を切った。
６．毛束を実験室中に２時間吊して静置し、乾燥させ、クシを通した後、毛束を吊して真横から写真を撮った。写真をもとに、毛束の最もカールの強い部分の曲率半径（ｒ）と曲率（１／ｒ）を求めた。
【０１９６】
（評価基準）
未処理毛（直毛）の曲率を１／ｒ0、上記の手順６で測定した曲率を１／ｒとして、次式に従って求められる曲率増加率（Ｉ）（％）を形状持続性と定義した（ロッドに巻いて加熱して付与したカール形状が、洗髪後も強いカールとして持続していればいるほど、Ｉが大きくなる。Ｉが大きいほど一度付与した形状の持ちがよい、すなわち形状持続性が高い）。
Ｉ＝[(１／ｒ)／(１／ｒ0)]×100 ［％］
【０１９７】
＜表面感触のよさ＞
感触の評価は＜形状持続性＞の評価直後の毛束を用い、手で触れた際の感触の滑らかさについて、専門パネラー５名が下記基準によって評価し、５名の平均値を四捨五入した数値を評価結果とした。
【０１９８】
（評価基準）
５：未処理毛に比べてきわめて滑らかな手触りである
４：未処理毛に比べて滑らかな手触りである
３：未処理毛に比べてわずかに滑らかな手触りである
２：未処理毛に比べてごくわずかに滑らかな手触りである
１：未処理毛の手触りと変わらない
【０１９９】
＜耐久性＞
耐久性の評価は＜形状持続性＞の評価直後の毛束を用いて行い、人毛繊維の耐久性の指標としては引張弾性率（ヤング率）を用いた。評価は、以下の手順で行った。
１．毛束の根本から、人毛繊維５本を切り取った。それぞれの人毛繊維の根本と毛先の中間付近から３cmの人毛繊維片を採取し、合計で10個の３cmの毛髪片を得た。人毛繊維片を20℃60%RHの部屋に置き、24時間調湿した。
２．人毛繊維片をDIA-STRON limited社製「MTT690 繊維自動引張り試験機」にセットして自動測定を開始し、人毛繊維が濡れた状態での引張弾性率（ヤング率）を求めた。表に示す引張弾性率（ヤング率）は、Ｎ＝５の測定結果の平均によって求めた。数値が高いほど、強度に優れ、耐久性にも優れることを示す。
【０２００】
＜評価用シャンプーの処方＞
成分                            （質量％）
ラウレス硫酸ナトリウム              15.5
ラウラミドDEA                        1.5
安息香酸ナトリウム                   0.5
EDTA-2Na                             0.3
リン酸                        pH7に調整する量
イオン交換水                      バランス
合計                               100.0
【０２０１】
【表１】
2019143281.tif 000014
【０２０２】
実施例５〜８（二剤式人毛繊維処理剤による処理）
表２に示す処理剤を調製し、以下の処理を行い、実施例１〜４と同様の方法及び基準に従って、形状持続性、表面感触のよさ、耐久性を評価した。この結果を表２に併せて示す。なお、各組成物のpHは、調製した組成物を室温（25℃）において、そのままpHメーター（HORIBA社製、F-52）で測定した。
【０２０３】
＜人毛繊維処理剤による処理＞
１．コーカシアン直毛（未処理毛）0.5ｇの長さ25cmの毛束を、人毛繊維処理剤第一剤40gが入った容器に浸漬し、容器の口をラップで覆って密閉して90℃設定のオーブンにて２時間加熱した。
２．毛束の入った容器をオーブンから取り出し、室温に戻した。
３．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
４．引き続き３．の毛束を、人毛繊維処理剤第二剤40gが入った容器に浸漬し、容器の口をラップで覆って密閉して90℃設定のオーブンにて１時間加熱した。
５．毛束の入った容器をオーブンから取り出し、室温に戻した。
６．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
【０２０４】
【表２】
2019143281.tif 000015
【０２０５】
実施例９〜10（一剤式人毛繊維処理剤による処理＋表面仕上げ剤(Ｉ)による処理）
表３に示す処理剤を調製し、以下の処理を行い、実施例１〜４と同様の方法及び基準に従って、形状持続性、表面感触のよさ、耐久性を評価した。この結果を表３に併せて示す。なお、各組成物のpHは、調製した組成物を室温（25℃）において、そのままpHメーター（HORIBA社製、F-52）で測定した。
【０２０６】
＜人毛繊維処理剤による処理＞
１．コーカシアン直毛（未処理毛）0.5ｇの長さ25cmの毛束を、人毛繊維処理剤40gが入った容器に浸漬し、容器の口をラップで覆って密閉して90℃設定のオーブンにて３時間加熱した。
２．毛束の入った容器をオーブンから取り出し、室温に戻した。
３．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
４．引き続き３．の毛束を、表面仕上げ剤(Ｉ)40gが入った容器に浸漬し、容器の口をラップで覆って密閉して40℃設定のオーブンにて72時間加温した。
５．毛束の入った容器をオーブンから取り出し、室温に戻した。
６．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
【０２０７】
【表３】
2019143281.tif 000016
【０２０８】
実施例11〜12（二剤式人毛繊維処理剤による処理＋表面仕上げ剤(Ｉ)による処理）
表４に示す処理剤を調製し、以下の処理を行い、実施例１〜４と同様の方法及び基準に従って、形状持続性、表面感触のよさ、耐久性を評価した。この結果を表４に併せて示す。なお、各組成物のpHは、調製した組成物を室温（25℃）において、そのままpHメーター（HORIBA社製、F-52）で測定した。
【０２０９】
＜人毛繊維処理剤による処理＞
１．コーカシアン直毛（未処理毛）0.5ｇの長さ25cmの毛束を、人毛繊維処理剤第一剤40gが入った容器に浸漬し、容器の口をラップで覆って密閉して90℃設定のオーブンにて２時間加熱した。
２．毛束の入った容器をオーブンから取り出し、室温に戻した。
３．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
４．引き続き３．の毛束を、人毛繊維処理剤第二剤40gが入った容器に浸漬し、容器の口をラップで覆って密閉して90℃設定のオーブンにて１時間加熱した。
５．毛束の入った容器をオーブンから取り出し、室温に戻した。
６．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
７．引き続き６．の毛束を、表面仕上げ剤40gが入った容器に浸漬し、容器の口をラップで覆って密閉して40℃設定のオーブンにて72時間加温した。
８．毛束の入った容器をオーブンから取り出し、室温に戻した。
９．毛束を容器から取り出し、水道水の30℃流水にて30秒すすぎ、評価用シャンプーで60秒泡立て、水道水の30℃流水にて30秒すすぎ、タオルで軽く水気を切った後、毛束を温風ドライヤー（テスコム社製、Nobby ホワイトNB3000）で乾かした。この時点で、毛束は直毛のままであった。
【０２１０】
【表４】
2019143281.tif 000017
【０２１１】
以上の実施例より、本発明の人毛繊維処理剤で人毛繊維を処理することにより、形状持続性及び耐久性に優れる人毛繊維が得られることが示された。また、得られた人毛繊維は、人の頭髪と遜色なく、自然な見た目を維持していることが確認された。
【０２１２】
実施例13（キューティクル除去用組成物による追加処理）
実施例１〜12のいずれかの処理の前又は後に、以下の工程を追加して行うことにより、人毛繊維の表面からキューティクルを除去することができる。
１．人毛繊維0.5ｇの長さ25cmの毛束を、キューティクル除去用組成物40gが入った容器に浸漬し、２時間静置する。
２．毛束を容器から取り出し、水道水の30℃流水にて30秒すすぎ、タオルで軽く水気を切った後、毛束を温風ドライヤー（テスコム社製、Nobby ホワイトNB3000）で乾かす。
【０２１３】
キューティクル除去用組成物１
（質量％）
ジクロロイソシアヌル酸ナトリウム            5.00
水                                          残量
pH：5.0
【０２１４】
キューティクル除去用組成物２
（質量％）
次亜塩素酸ソーダ                            5.00
水                                          残量
pH：5.0
【０２１５】
実施例14（脱色剤組成物による追加処理）
実施例１〜12のいずれかの処理の前又は後に、以下の工程を追加して行うことにより、人毛繊維を脱色することができる。
１．人毛繊維0.5ｇの長さ25cmの毛束を、脱色剤組成物１が40ｇ入った容器に浸漬し、２時間静置する。
２．毛束を容器から取り出し、水道水の30℃流水にて30秒すすぎ、タオルで軽く水気を切った後、毛束を温風ドライヤー（テスコム社製、Nobby ホワイトNB3000）で乾かす。
【０２１６】
脱色剤組成物１
（質量％）
強アンモニア水（28質量％）                                  2.70
重炭酸アンモニウム                                          4.70
ステアルトリモニウムクロリド（花王社製、コータミン 86W）    8.00
1-ヒドロキシエチリデン-1,1-ジホスホン酸（60質量％）
（ディクエスト2010cs）                                    0.05
過酸化水素水（35質量％）                                   10.90
水                                                          残量
pH：9.5
【０２１７】
実施例15（染毛剤組成物による追加処理）
実施例１〜12のいずれかの処理の前又は後に、以下の工程を追加して行うことにより、人毛繊維を染色することができる。
１．人毛繊維0.5ｇの長さ25cmの毛束を、染毛剤組成物１〜４（染毛剤組成物１及び４は第１剤と第２剤を１：１で混合して使用）が40ｇ入った容器に浸漬し、２時間静置する。
２．毛束を容器から取り出し、水道水の30℃流水にて30秒すすぎ、タオルで軽く水気を切った後、毛束を温風ドライヤー（テスコム社製、Nobby ホワイトNB3000）で乾かす。
【０２１８】
染毛剤組成物１
（第１剤）                                （質量％）
セテアリルアルコール                       10.8
オレス-5                                    5.0
オレイン酸                                  2.5
コカミドMEA                                 4.6
ラウリル硫酸ナトリウム                      1.7
モノステアリン酸プロピレングリコール        0.6
無水亜硫酸ナトリウム                        0.5
アンモニア水（28質量％）                    6.5
トルエン-2,5-ジアミン硫酸塩                 1.3
レゾルシン                                  0.5
メタアミノフェノール                        0.2
2,4-ジアミノフェノキシエタノール塩酸塩      0.02
精製水                                      残量
【０２１９】
（第２剤）                                （質量％）
過酸化水素水（35質量％）                   17.1
セテアリルアルコール                        1.7
ラウリル硫酸ナトリウム                      0.2
リン酸                                      0.3
サリチル酸                                  0.01
精製水                                      残量
【０２２０】
染毛剤組成物２
（質量％）
アシッドレッド33                            0.5
塩酸                                      pH調整量
精製水                                      残量
pH4.0
【０２２１】
染毛剤組成物３
（質量％）
アモジメチコン                              1.50
ヒドロキシエチルセルロース                  1.40
香料                                        0.30
アシッドレッド52                            0.55
ベーシックレッド51                          0.28
HCレッド３                                  0.01
水                                          残量
【０２２２】
染毛剤組成物４
（第１剤）                                （質量％）
塩化アンモニウム                            0.25
モノエタノールアミン                        0.80
フレグランス／香料                          0.30
p-トルエンジアミン                          0.55
レゾルシノール                              0.28
m-フェニレンジアミン                        0.01
水                                          残量
pH：6.8
【０２２３】
（第２剤）                                （質量％）
過酸化水素                                  6.00
水                                          残量
pH：3.4
【０２２４】
実施例16（表面仕上げ剤(II)による処理）
実施例１〜12のいずれかの処理後の人毛繊維に、表５及び６に示す表面仕上げ剤(II)を表中の浴比に従い塗布した後、洗い流さずに、ドライヤーを用いて完全に乾燥させることにより、人毛繊維に疎水性を付与すると共に低摩擦化することができ、しかも処理後の長期にわたってこれらの効果を持続することができる。
表中のpHは、室温（25℃）において、組成物を希釈等することなくそのまま、堀場製作所社製のpHメーター F-52を用いて測定した値である。
【０２２５】
【表５】
2019143281.tif 000018
【０２２６】
【表６】
2019143281.tif 000019